(57)【特許請求の範囲】
【請求項１】
基地局装置と通信する移動局装置であって、
第１の物理上りリンク制御チャネルフォーマットを使用してＨＡＲＱ−ＡＣＫに関する情報とチャネル状態情報の同時送信を許可するために使用される第１のパラメータを受信する手段と、
第２の物理上りリンク制御チャネルフォーマットを使用して前記ＨＡＲＱ−ＡＣＫに関する情報と前記チャネル状態情報の同時送信を許可するために使用される第２のパラメータを受信する手段と、
物理上りリンク共用チャネルでの送信を行なわないサブフレームにおいて、前記ＨＡＲＱ−ＡＣＫに関する情報と前記チャネル状態情報が衝突する場合に、
前記第１のパラメータ、前記第２のパラメータ、および、前記ＨＡＲＱ−ＡＣＫに関する情報がプライマリセルのみにおける１つの物理下りリンク共用チャネルでの送信に対応するかどうか、を参照して、
前記第１の物理上りリンク制御チャネルフォーマットを使用して、前記ＨＡＲＱ−ＡＣＫに関する情報と多重された前記チャネル状態情報を送信するか、
前記第２の物理上りリンク制御チャネルフォーマットを使用して、前記ＨＡＲＱ−ＡＣＫに関する情報と多重された前記チャネル状態情報を送信するか、
前記チャネル状態情報をドロップするか、を決定する手段と、を備える
ことを特徴とする移動局装置。
【請求項２】
前記物理上りリンク共用チャネルでの送信を行なわないサブフレームにおいて、前記ＨＡＲＱ−ＡＣＫに関する情報と前記チャネル状態情報が衝突する前記場合に、
前記第１のパラメータによって前記ＨＡＲＱ−ＡＣＫに関する情報と前記チャネル状態情報の同時送信を許可することが指示され、前記第２のパラメータによって前記ＨＡＲＱ−ＡＣＫに関する情報と前記チャネル状態情報の同時送信を許可することが指示されず、且つ、前記ＨＡＲＱ−ＡＣＫに関する情報が前記プライマリセルのみにおける１つの物理下りリンク共用チャネルでの送信に対応するならば、
前記第１の物理上りリンク制御チャネルフォーマットを使用して、前記ＨＡＲＱ−ＡＣＫに関する情報と多重された前記チャネル状態情報を送信する
ことを特徴とする請求項１に記載の移動局装置。
【請求項３】
前記物理上りリンク共用チャネルでの送信を行なわないサブフレームにおいて、前記ＨＡＲＱ−ＡＣＫに関する情報と前記チャネル状態情報が衝突する前記場合に、
前記第１のパラメータによって前記ＨＡＲＱ−ＡＣＫに関する情報と前記チャネル状態情報の同時送信を許可することが指示されず、前記第２のパラメータによって前記ＨＡＲＱ−ＡＣＫに関する情報と前記チャネル状態情報の同時送信を許可することが指示され、且つ、前記ＨＡＲＱ−ＡＣＫに関する情報が少なくともセカンダリセルにおける１つの物理下りリンク共用チャネルでの送信に対応するならば、
前記第２の物理上りリンク制御チャネルフォーマットを使用して、前記ＨＡＲＱ−ＡＣＫに関する情報と多重された前記チャネル状態情報を送信する
ことを特徴とする請求項１または請求項２に記載の移動局装置。
【請求項４】
前記物理上りリンク共用チャネルでの送信を行なわないサブフレームにおいて、前記ＨＡＲＱ−ＡＣＫに関する情報と前記チャネル状態情報が衝突する前記場合に、
前記第１のパラメータによって前記ＨＡＲＱ−ＡＣＫに関する情報と前記チャネル状態情報の同時送信を許可することが指示されず、且つ、前記第２のパラメータによって前記ＨＡＲＱ−ＡＣＫに関する情報と前記チャネル状態情報の同時送信を許可することが指示されていないならば、
前記チャネル状態情報をドロップする
ことを特徴とする請求項１から請求項３のいずれかに記載の移動局装置。
【請求項５】
前記第１の物理上りリンク制御情報フォーマットに対するリソースは、上位層によって設定される
ことを特徴とする請求項１から請求項４のいずれかに記載の移動局装置。
【請求項６】
前記第２の物理上りリンク制御情報フォーマットに対するリソースは、上位層によって設定された４つのリソースの中から、物理下りリンク制御チャネルで送信される下りリンク制御情報を使用して指示される
ことを特徴とする請求項１から請求項５のいずれかに記載の移動局装置。
【請求項７】
前記ＨＡＲＱ−ＡＣＫに関する情報は、ＡＣＫ／ＮＡＣＫを示す情報である
ことを特徴とする請求項１から請求項６のいずれかに記載の移動局装置。
【請求項８】
前記チャネル状態情報には、周期的に送信されるチャネル状態情報が含まれる
ことを特徴とする請求項１から請求項７のいずれかに記載の移動局装置。
【請求項９】
基地局装置と通信する移動局装置の方法であって、
第１の物理上りリンク制御チャネルフォーマットを使用してＨＡＲＱ−ＡＣＫに関する情報とチャネル状態情報の同時送信を許可するために使用される第１のパラメータを受信し、
第２の物理上りリンク制御チャネルフォーマットを使用して前記ＨＡＲＱ−ＡＣＫに関する情報と前記チャネル状態情報の同時送信を許可するために使用される第２のパラメータを受信し、
物理上りリンク共用チャネルでの送信を行なわないサブフレームにおいて、前記ＨＡＲＱ−ＡＣＫに関する情報と前記チャネル状態情報が衝突する場合に、
前記第１のパラメータ、前記第２のパラメータ、および、前記ＨＡＲＱ−ＡＣＫに関する情報がプライマリセルのみにおける１つの物理下りリンク共用チャネルでの送信を対応するかどうか、を参照して、
前記第１の物理上りリンク制御チャネルフォーマットを使用して、前記ＨＡＲＱ−ＡＣＫに関する情報と多重された前記チャネル状態情報を送信するか、
前記第２の物理上りリンク制御チャネルフォーマットを使用して、前記ＨＡＲＱ−ＡＣＫに関する情報と多重された前記チャネル状態情報を送信するか、
前記チャネル状態情報をドロップするか、を決定する
ことを特徴とする方法。
【請求項１０】
基地局装置と通信する移動局装置に搭載される集積回路であって、
第１の物理上りリンク制御チャネルフォーマットを使用してＨＡＲＱ−ＡＣＫに関する情報とチャネル状態情報の同時送信を許可するために使用される第１のパラメータを受信する処理と、
第２の物理上りリンク制御チャネルフォーマットを使用して前記ＨＡＲＱ−ＡＣＫに関する情報と前記チャネル状態情報の同時送信を許可するために使用される第２のパラメータを受信する処理と、
物理上りリンク共用チャネルでの送信を行なわないサブフレームにおいて、前記ＨＡＲＱ−ＡＣＫに関する情報と前記チャネル状態情報が衝突する場合に、
前記第１のパラメータ、前記第２のパラメータ、および、前記ＨＡＲＱ−ＡＣＫに関する情報がプライマリセルのみにおける１つの物理下りリンク共用チャネルでの送信を対応するかどうか、を参照して、
前記第１の物理上りリンク制御チャネルフォーマットを使用して、前記ＨＡＲＱ−ＡＣＫに関する情報と多重された前記チャネル状態情報を送信するか、
前記第２の物理上りリンク制御チャネルフォーマットを使用して、前記ＨＡＲＱ−ＡＣＫに関する情報と多重された前記チャネル状態情報を送信するか、
前記チャネル状態情報をドロップするか、を決定する処理と、を前記移動局装置に実行させる
ことを特徴とする集積回路。
【発明の詳細な説明】
【技術分野】
【０００１】
本発明は、移動局装置、方法および集積回路に関する。
【背景技術】
【０００２】
セルラー移動通信の無線アクセス方式および無線ネットワークの進化（以下、ＬＴＥ：Long Term Evolution、または、ＥＵＴＲＡ：Evolved Universal Terrestrial Radio Accessとも呼称する）が、第三世代パートナーシッププロジェクト（３ＧＰＰ：3rd Generation Partnership Project）において検討されている。ＬＴＥでは、基地局装置から移動局装置への下りリンクの通信方式として、マルチキャリア送信であるＯＦＤＭ（Orthogonal Frequency Division Multiplexing）方式が用いられる。また、移動局装置から基地局装置への上りリンクの通信方式として、シングルキャリア送信であるＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。
【０００３】
また、ＬＴＥリリース１０では、ＬＴＥリリース８／リリース９と同一のチャネル構造を持つサービングセルを複数用いて、基地局装置と移動局装置が通信を行う技術（セル集約: cell aggregation、キャリア集約: carrier aggregationとも呼称される）が検討されている（非特許文献１）。例えば、基地局装置と移動局装置は、集約された複数のサービングセルで、同一サブフレームにおいて、複数の物理チャネルでの情報の送受信を行う。
【０００４】
さらに、ＬＴＥリリース１１では、セル集約を使用して通信を行う際に、移動局装置が、ＨＡＲＱ（ハイブリッド自動再送要求：Hybrid Automatic Repeat Request）における制御情報（以下、ＨＡＲＱ−ＡＣＫとも記載する）とチャネル状態情報（ＣＳＩ：Channel State Information）をともに、単一の物理上りリンク制御チャネル（ＰＵＣＣＨ：Physical Uplink Control Channel）リソースを使用して送信することが検討されている（非特許文献２）。
【０００５】
ここで、ＨＡＲＱ−ＡＣＫには、下りリンクトランスポートブロックに対するＡＣＫ／ＮＡＣＫを示す情報（肯定応答：Positive Acknowledgement/否定応答：Negative Acknowledgementを示す情報）が含まれる。また、ＨＡＲＱ−ＡＣＫには、ＤＴＸ（Discontinuous Transmission）を示す情報が含まれる。ここで、ＤＴＸには、移動局装置が、ＰＤＣＣＨおよび／またはＰＤＳＣＨを検出できなかったことを示す情報が含まれる。
【先行技術文献】
【非特許文献】
【０００６】
【非特許文献１】"Carrier aggregation in LTE-Advanced", 3GPP TSG-RAN WG1 #53bis, R1-082468, June 30-July 4, 2008.
【非特許文献２】"Views on UL control enhancements for CA", 3GPP TSG-RAN WG1 #67, R1-113671, November 14-18, 2011.
【発明の概要】
【発明が解決しようとする課題】
【０００７】
しかしながら、従来の技術では、移動局装置が、ＨＡＲＱ−ＡＣＫおよび／またはＣＳＩを送信する際の手順に関する具体的な記載がなかった。すなわち、基地局装置が、移動局装置に対してどのような設定を行い、移動局装置が、どのようにＨＡＲＱ−ＡＣＫおよび／またはＣＳＩを送信するのかの記載がなかった。
【０００８】
本発明は、このような事情に鑑みてなされたものであり、効率的にＨＡＲＱ−ＡＣＫおよび／またはＣＳＩを送信することができる移動通信システム、基地局装置、移動局装置、通信方法および集積回路を提供する。
【課題を解決するための手段】
【０００９】
（１）上記の目的を達成するために、本発明は、以下のような手段を講じた。すなわち、本発明の移動通信システムは、基地局装置と移動局装置が通信する移動通信システムにおいて、前記基地局装置は、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置は、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信し、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信することを特徴としている。
【００１０】
（２）また、基地局装置と移動局装置が通信する移動通信システムにおいて、前記基地局装置は、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置は、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信し、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信することを特徴としている。
【００１１】
（３）また、基地局装置と移動局装置が通信する移動通信システムにおいて、前記基地局装置は、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置は、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信し、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を、前記基地局装置へ送信することを特徴としている。
【００１２】
（４）また、基地局装置と移動局装置が通信する移動通信システムにおいて、前記基地局装置は、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置は、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信し、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記基地局装置へ送信することを特徴としている。
【００１３】
（５）また、前記ＨＡＲＱ−ＡＣＫは、下りリンクトランスポートブロックに対するＡＣＫ／ＮＡＣＫを示す情報が含まれることを特徴としている。
【００１４】
（６）また、前記ＨＡＲＱ−ＡＣＫは、ＤＴＸを示す情報が含まれることを特徴としている。
【００１５】
（７）また、移動局装置と通信する基地局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記移動局装置から受信し、前記移動局装置が、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記移動局装置から受信することを特徴としている。
【００１６】
（８）また、移動局装置と通信する基地局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記移動局装置から受信し、前記移動局装置が、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記移動局装置から受信することを特徴としている。
【００１７】
（９）また、移動局装置と通信する基地局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記移動局装置から受信し、前記移動局装置が、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を、前記移動局装置から受信することを特徴としている。
【００１８】
（１０）また、移動局装置と通信する基地局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記移動局装置から受信し、前記移動局装置が、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記移動局装置から受信することを特徴としている。
【００１９】
（１１）また、前記ＨＡＲＱ−ＡＣＫは、下りリンクトランスポートブロックに対するＡＣＫ／ＮＡＣＫを示す情報が含まれることを特徴としている。
【００２０】
（１２）また、前記ＨＡＲＱ−ＡＣＫは、ＤＴＸを示す情報が含まれることを特徴としている。
【００２１】
（１３）また、基地局装置と通信する移動局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信し、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信することを特徴としている。
【００２２】
（１４）また、基地局装置と通信する移動局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信し、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信することを特徴としている。
【００２３】
（１５）また、基地局装置と通信する移動局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信し、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を、前記基地局装置へ送信することを特徴としている。
【００２４】
（１６）また、基地局装置と通信する移動局装置において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信し、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記基地局装置へ送信することを特徴としている。
【００２５】
（１７）また、前記ＨＡＲＱ−ＡＣＫは、下りリンクトランスポートブロックに対するＡＣＫ／ＮＡＣＫを示す情報が含まれることを特徴としている。
【００２６】
（１８）また、前記ＨＡＲＱ−ＡＣＫは、ＤＴＸを示す情報が含まれることを特徴としている。
【００２７】
（１９）また、移動局装置と通信する基地局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記移動局装置から受信し、前記移動局装置が、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記移動局装置から受信することを特徴としている。
【００２８】
（２０）また、移動局装置と通信する基地局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記移動局装置から受信し、前記移動局装置が、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記移動局装置から受信することを特徴としている。
【００２９】
（２１）また、移動局装置と通信する基地局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記移動局装置から受信し、前記移動局装置が、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を、前記移動局装置から受信することを特徴としている。
【００３０】
（２２）また、移動局装置と通信する基地局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信し、前記移動局装置が、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記移動局装置から受信し、前記移動局装置が、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記移動局装置から受信することを特徴としている。
【００３１】
（２３）また、基地局装置と通信する移動局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信し、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信することを特徴としている。
【００３２】
（２４）また、基地局装置と通信する移動局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信し、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信することを特徴としている。
【００３３】
（２５）また、基地局装置と通信する移動局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信し、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を、前記基地局装置へ送信することを特徴としている。
【００３４】
（２６）また、基地局装置と通信する移動局装置の通信方法において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信し、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信し、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記基地局装置へ送信することを特徴としている。
【００３５】
（２７）また、移動局装置と通信する基地局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信する処理と、前記移動局装置が、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記移動局装置からから受信する処理と、前記移動局装置が、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記移動局装置から受信する処理と、を実行させることを特徴としている。
【００３６】
（２８）また、移動局装置と通信する基地局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信する処理と、前記移動局装置が、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記移動局装置から受信する処理と、前記移動局装置が、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記移動局装置から受信する処理と、を実行させることを特徴としている。
【００３７】
（２９）また、移動局装置と通信する基地局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信する処理と、前記移動局装置が、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記移動局装置から受信する処理と、前記移動局装置が、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を、前記移動局装置から受信する処理と、を実行させることを特徴としている。
【００３８】
（３０）また、移動局装置と通信する基地局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記移動局装置へ送信する処理と、前記移動局装置が、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記移動局装置から受信する処理と、前記移動局装置が、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記移動局装置から受信する処理と、を実行させることを特徴としている。
【００３９】
（３１）また、基地局装置と通信する移動局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信する処理と、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信する処理と、セカンダリセルにおける１つの前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信する処理と、を実行させることを特徴としている。
【００４０】
（３２）また、基地局装置と通信する移動局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信する処理と、プライマリセルのみにおける１つの物理下りリンク共用チャネルの送信に対応する前記ＨＡＲＱ−ＡＣＫを送信する場合には、第１のパラメータに従って、前記ＨＡＲＱ−ＡＣＫおよび／または前記チャネル状態情報を、前記基地局装置へ送信する処理と、少なくとも１つのセカンダリセルにおける前記物理下りリンク共用チャネルの送信に対応する前記ＨＡＲＱ−ＡＣＫを送信する場合には、第２のパラメータに従って、前記ＨＡＲＱ−ＡＣＫおよび／または前記チャネル状態情報を、前記基地局装置へ送信する処理と、を実行させることを特徴としている。
【００４１】
（３３）また、基地局装置と通信する移動局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信する処理と、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信する処理と、セカンダリセルにおける１つの物理下りリンク共用チャネルの送信を指示する下りリンク制御情報を１つの物理下りリンク制御チャネルで検出した場合には、第２のパラメータに従って、前記ＨＡＲＱ−ＡＣＫおよび／または前記チャネル状態情報を前記基地局装置へ送信する処理と、を実行させることを特徴としている。
【００４２】
（３４）また、基地局装置と通信する移動局装置に搭載される集積回路において、ＨＡＲＱ−ＡＣＫとチャネル状態情報の同時送信に関する第１のパラメータと、前記ＨＡＲＱ−ＡＣＫと前記チャネル状態情報の同時送信に関する第２のパラメータと、を前記基地局装置から受信する処理と、プライマリセルのみにおける１つの物理下りリンク共用チャネルの送信を指示する下りリンク制御情報を１つの物理下りリンク制御チャネルで検出した場合には、第１のパラメータに従って、前記ＨＡＲＱ−ＡＣＫおよび／または前記チャネル状態情報を、前記基地局装置へ送信する処理と、少なくとも１つのセカンダリセルにおける物理下りリンク共用チャネルの送信を指示する下りリンク制御情報を物理下りリンク制御チャネルで検出した場合には、第２のパラメータに従って、前記ＨＡＲＱ−ＡＣＫおよび／または前記チャネル状態情報を、前記基地局装置へ送信する処理と、を実行させることを特徴としている。
【発明の効果】
【００４３】
本発明によれば、効率的にＨＡＲＱ−ＡＣＫおよび／またはチャネル状態情報を送信することができる。
【図面の簡単な説明】
【００４４】
【図１】本実施形態に係る物理チャネルの構成を概念的に示す図である。
【図２】本実施形態に係る基地局装置の概略構成を示すブロック図である。
【図３】本実施形態に係る移動局装置の概略構成を示すブロック図である。
【図４】本実施形態が適用可能な移動通信システムの例を示す図である。
【図５】本実施形態を説明する図である。
【図６】本実施形態を説明する別の図である。
【図７】本実施形態を説明する別の図である。
【発明を実施するための形態】
【００４５】
次に、本発明に係る実施形態について、図面を参照しながら説明する。図１は、本
実施形態に係る物理チャネルの一構成例を示す図である。ここで、物理チャネルは、時間領域、周波数領域によって定義される物理リソースブロックに配置される。
【００４６】
図１に示すように、下りリンクの物理チャネルには、物理下りリンク制御チャネル（ＰＤＣＣＨ：Physical Downlink Control Channel）、物理下りリンク共用チャネル（ＰＤＳＣＨ：Physical Downlink Shared Channel）などが含まれる。また、上りリンクの物理チャネルには、物理上りリンク共用チャネル（ＰＵＳＣＨ：Physical Uplink Shared Channel）、物理上りリンク制御チャネル（ＰＵＣＣＨ：Physical Uplink Control Channel）などが含まれる。
【００４７】
ここで、ＰＤＣＣＨは、下りリンクのスケジューリング情報（下りリンクアサインメント：downlink assignment）や上りリンクのスケジューリング情報（上りリンクグラント：uplink grant）などの下りリンク制御情報（ＤＣＩ：Downlink Control Information）を送信（通知、指定）するために使用される物理チャネルである。ここで、ＰＤＣＣＨは、ＰＤＳＣＨとＴＤＭ（時間分割多重：Time Division Multiplexing）されても良い。また、ＰＤＣＣＨは、ＰＤＳＣＨとＦＤＭ（周波数分割多重：Frequency Division Multiplexing）されても良い。例えば、ＰＤＳＣＨとＦＤＭされるＰＤＣＣＨは、Ｅ−ＰＤＣＣＨ（Enhanced-PDCCH）とも呼称されるが、以下、ＰＤＣＣＨには、Ｅ−ＰＤＣＣＨも含まれる。
【００４８】
また、下りリンク制御情報の送信に対して、複数のフォーマットが定義される。ここで、下りリンク制御情報の送信に使用されるフォーマットは、ＤＣＩフォーマット（Downlink Control Information format）とも呼称される。
【００４９】
例えば、ＤＣＩフォーマット１は、シングルアンテナポート送信モードでの１つの下りリンクセルにおける１つのＰＤＳＣＨのスケジューリングに使用される。また、ＤＣＩフォーマット２は、マルチアンテナポートモードでの１つの下りリンクセルにおける１つのＰＤＳＣＨのスケジューリングに使用される。すなわち、ＤＣＩフォーマット１およびＤＣＩフォーマット２は、ＰＤＳＣＨのスケジューリングに使用される下りリンクアサインメントである。
【００５０】
すなわち、例えば、ＤＣＩフォーマット１やＤＣＩフォーマット２には、ＰＤＳＣＨに対するリソース割り当て情報（Resource block assignment）、ＰＤＳＣＨ（ＰＤＳＣＨで送信される下りリンクトランスポートブロック）に対する変調方式および符号化率に関する情報（ＭＣＳ：Modulation and Coding Scheme）などの情報フィールド（情報ビットへマップされるフィールドとも呼称される）が定義される。ここで、ある１つの下りリンクアサインメントには、あるセルにおける１つのＰＤＳＣＨに対するスケジューリング情報が含まれる。
【００５１】
また、例えば、ＤＣＩフォーマット０は、シングルアンテナポート送信モードでの１つの上りリンクセルにおける１つのＰＵＳＣＨのスケジューリングに使用される。また、ＤＣＩフォーマット４は、マルチアンテナポートモードでの１つの上りリンクセルにおける１つのＰＵＳＣＨのスケジューリングに使用される。すなわち、ＤＣＩフォーマット０およびＤＣＩフォーマット４は、ＰＵＳＣＨのスケジューリングに使用される上りリンクグラントである。
【００５２】
すなわち、例えば、ＤＣＩフォーマット０やＤＣＩフォーマット４には、ＰＵＳＣＨに対するリソース割り当て情報（Resource block assignment）、ＰＵＳＣＨ（ＰＵＳＣＨで送信される上りリンクトランスポートブロック）に対する変調方式および符号化率に関する情報（ＭＣＳ：Modulation and Coding Scheme）などの情報フィールドが定義される。ここで、ある１つの上りリンクアサインメントには、あるセルにおける１つのＰＵＳＣＨに対するスケジューリング情報が含まれる。
【００５３】
移動局装置は、自装置宛のＰＤＣＣＨで、ＰＤＳＣＨのリソース割り当てを受信した場合には、指示されたリソース割り当てに応じて、ＰＤＳＣＨを使用して、下りリンク信号（下りリンクデータ（下りリンク共用チャネル（ＤＬ−ＳＣＨ：Downlink Shared Channel）に対するトランスポートブロック）を受信する。
【００５４】
また、移動局装置は、自装置宛のＰＤＣＣＨで、ＰＵＳＣＨのリソース割り当てを受信した場合には、指示されたリソース割り当てに応じて、ＰＵＳＣＨを使用して、上りリンク信号（上りリンクデータ（上りリンク共用チャネル（ＵＬ−ＳＣＨ：Uplink Shared Channel）に対するトランスポートブロック）および／または上りリンク制御データ（上りリンク制御情報）を送信する。
【００５５】
また、ＰＤＳＣＨは、下りリンクデータ（下りリンク共用チャネル（ＤＬ−ＳＣＨ）に対するトランスポートブロック）またはページング情報（ページングチャネル（ＰＣＨ：Paging Channel）に対するトランスポートブロック）を送信するために使用されるチャネルである。基地局装置は、ＰＤＣＣＨによって割り当てたＰＤＳＣＨを使用して、下りリンクデータを移動局装置へ送信する。
【００５６】
ここで、下りリンクデータとは、例えば、ユーザーデータを示しており、ＤＬ−ＳＣＨは、トランスポートチャネルである。ここで、下りリンクトランスポートブロックは、ＭＡＣ（Medium Access Control）層で取り扱われる単位である。また、下りリンクトランスポートブロックは、物理層（Physical layer）において、コードワードに対応付けられる。すなわち、下りリンクトランスポートブロックは、ＭＡＣ層から物理層へ供給される（deliverされる）データの単位である。
【００５７】
さらに、ＰＵＳＣＨは、主に、上りリンクデータ（上りリンク共用チャネル（ＵＬ−ＳＣＨ）に対するトランスポートブロック）を送信するために使用される物理チャネルである。移動局装置は、ＰＤＣＣＨによって割り当てられたＰＵＳＣＨを使用して、上りリンクデータを基地局装置へ送信する。また、基地局装置が、移動局装置にＰＵＳＣＨ（ＰＵＳＣＨリソース）をスケジューリングした場合には、上りリンク制御情報（ＵＣＩ：Uplink Control Information）もＰＵＳＣＨを使用して送信される。
【００５８】
ここで、上りリンクデータとは、例えば、ユーザーデータを示しており、ＵＬ−ＳＣＨは、トランスポートチャネルである。ここで、上りリンクトランスポートブロックは、ＭＡＣ層で取り扱われる単位である。また、上りリンクトランスポートブロックは、物理層において、コードワードに対応付けられる。すなわち、上りリンクトランスポートブロックは、ＭＡＣ層から物理層へ供給される（deliverされる）データの単位である。
【００５９】
また、ＰＵＣＣＨは、上りリンク制御情報を送信するために使用される物理チャネルである。ここで、上りリンク制御情報には、ＨＡＲＱ−ＡＣＫが含まれる。また、上りリンク制御情報には、ＣＳＩが含まれる。さらに、ＣＳＩには、チャネル品質インディケータ（ＣＱＩ：Channel Quality Indicator）や、プレコーディングマトリックスインディケータ（ＰＭＩ：Pre-coding Matrix Indicator）や、ランクインディケータ（ＲＩ：Rank Indication）が含まれる。また、上りリンク制御情報には、移動局装置が上りリンクデータを送信するためのリソースの割り当てを要求するために使用されるスケジューリングリクエスト（ＳＲ：Scheduling Request）が含まれる。
【００６０】
ここで、ＰＵＣＣＨに対して、複数のフォーマットが定義（サポート）される。また、ＰＵＣＣＨに対してサポートされるフォーマット（ＰＵＣＣＨがサポートするフォーマット）は、ＰＵＣＣＨフォーマットとも呼称される。
【００６１】
例えば、ＰＵＣＣＨフォーマット１には、変調方式としてオンオフ変調（on-off-keying）が適用される。例えば、移動局装置は、ＰＵＣＣＨフォーマット１を使用して、スケジューリングリクエストを送信することができる。
【００６２】
また、例えば、ＰＵＣＣＨフォーマット１ａには、変調方式としてＢＰＳＫ（Binary Phase Shift Keying）が適用される。例えば、移動局装置は、ＰＵＣＣＨフォーマット１ａを使用して、サブフレーム辺り１ビットのＨＡＲＱ−ＡＣＫを送信することができる。また、移動局装置は、ＰＵＣＣＨフォーマット１ａを使用して、単一のセルに対応するＨＡＲＱ−ＡＣＫ（以下、単一のＨＡＲＱ−ＡＣＫ（single HARQ-ACK）とも記載する）を送信することができる。
【００６３】
ここで、単一のセルに対応するＨＡＲＱ−ＡＣＫには、単一のセル（単一のセルのＰＤＳＣＨ）で送信される下りリンクトランスポートブロックに対するＨＡＲＱ−ＡＣＫが含まれる。ここで、例えば、基地局装置は、各サービングセルにおいて、下りリンク送信モードを移動局装置に対して設定することができる。例えば、基地局装置は、１つの下りリンクトランスポートブロックを送信可能な下りリンク送信モードを設定した場合には、ＰＤＳＣＨを使用して、１つの下りリンクトランスポートブロックを送信する。例えば、移動局装置は、１つの下りリンクトランスポートブロックが送信可能なモードが設定された場合には、単一のセルに対応する１ビットのＨＡＲＱ−ＡＣＫを送信することができる。
【００６４】
また、例えば、ＰＵＣＣＨフォーマット１ｂには、変調方式としてＱＰＳＫ（Quadrature Phase Shift Keying）が適用される。例えば、移動局装置は、ＰＵＣＣＨフォーマット１ｂを使用して、サブフレーム辺り２ビットのＨＡＲＱ−ＡＣＫを送信することができる。例えば、移動局装置は、ＰＵＣＣＨフォーマット１ｂを使用して、単一のセルに対応するＨＡＲＱ−ＡＣＫを送信することができる。
【００６５】
ここで、例えば、基地局装置は、２つまでの下りリンクトランスポートブロックを送信可能な下りリンク送信モードを設定した場合には、ＰＤＳＣＨを使用して、２つまでの下りリンクトランスポートブロックを送信できる。例えば、移動局装置は、２つまでの下りリンクトランスポートブロックが送信可能なモードが設定され、２つの下りリンクトランスポートブロックを受信した場合には、単一のセルに対応する２ビットのＨＡＲＱ−ＡＣＫを送信することができる。
【００６６】
また、ＰＵＣＣＨフォーマット２には、変調方式としてＱＰＳＫが適用される。例えば、移動局装置は、ＰＵＣＣＨフォーマット２を使用して、単一のセルに対応するＣＳＩ（以下、単一のＣＳＩ（single CSI）とも記載する）を送信することができる。また、例えば、移動局装置は、ＰＵＣＣＨフォーマット２を使用して、単一のセルに対応するＣＳＩと、単一のセルに対応するＨＡＲＱ−ＡＣＫを同時に送信することができる。すなわち、移動局装置は、ＰＵＣＣＨフォーマット２を使用して、ＨＡＲＱ−ＡＣＫが多重されたＣＳＩを送信することが可能である。
【００６７】
ここで、単一のセルに対応するＣＳＩには、単一のセルで送信される下りリンク信号（例えば、ＰＤＳＣＨや下りリンクトランスポートブロックなど）に対するＣＳＩが含まれる。ここで、例えば、基地局装置は、各セルに対するＣＳＩの報告モードを移動局装置に対して設定することができる。
【００６８】
また、例えば、ＰＵＣＣＨフォーマット２には、符号化方式として畳み込み符号化が適用される。ここで、例えば、畳み込み符号化を適用することによって、２０ビットの符号化ビット系列が生成される。例えば、移動局装置は、ＰＵＣＣＨフォーマット２を使用して、サブフレーム辺り２０ビットの符号化ビット（情報）を送信することができる。
【００６９】
また、ＰＵＣＣＨフォーマット２ａには、変調方式としてＱＰＳＫとＢＰＳＫ（ＱＰＳＫ＋ＢＰＳＫ）が適用される。例えば、移動局装置は、ＰＵＣＣＨフォーマット２ａを使用して、単一のセルに対応するＣＳＩ（例えば、ＱＰＳＫが適用される）と１ビットのＨＡＲＱ−ＡＣＫ（例えば、ＢＰＳＫが適用される）を同時に送信することができる。すなわち、移動局装置は、ＰＵＣＣＨフォーマット２ａを使用して、１ビットのＨＡＲＱ−ＡＣＫが多重されたＣＳＩを送信することができる。例えば、移動局装置は、ＰＵＣＣＨフォーマット２ａを使用して、サブフレーム辺り２１ビットの情報を送信することができる。
【００７０】
また、ＰＵＣＣＨフォーマット２ｂには、変調方式としてＱＰＳＫとＱＰＳＫ（ＱＰＳＫ＋ＱＰＳＫ）が適用される。例えば、移動局装置は、ＰＵＣＣＨフォーマット２ｂを使用して、単一のセルに対応するＣＳＩ（例えば、ＱＰＳＫが適用される）と２ビットのＨＡＲＱ−ＡＣＫ（例えば、ＱＰＳＫが適用される）を送信することができる。すなわち、移動局装置は、ＰＵＣＣＨフォーマット２ｂを使用して、２ビットのＨＡＲＱ−ＡＣＫが多重されたＣＳＩを送信することができる。例えば、移動局装置は、ＰＵＣＣＨフォーマット２ｂを使用して、サブフレーム辺り２２ビットの情報を送信することができる。
【００７１】
また、例えば、ＰＵＣＣＨフォーマット３には、変調方式としてＱＰＳＫが適用される。例えば、移動局装置は、ＰＵＣＣＨフォーマット３を使用して、単一のセルまたは複数のセルに対応するＨＡＲＱ−ＡＣＫ（以下、複数のＨＡＲＱ−ＡＣＫ（multiple HARQ-ACK）とも記載する）、および／または、単一のセルまたは複数のセルに対応するＣＳＩ（以下、複数のＣＳＩ（multiple CSI）とも記載する）を送信することができる。
【００７２】
すなわち、移動局装置は、ＰＵＣＣＨフォーマット３を使用して、単一のセルまたは複数のセルに対応するＨＡＲＱ−ＡＣＫ（例えば、１０ビットのＨＡＲＱ−ＡＣＫ）と、単一のセルまたは複数のセルに対応するＣＳＩ（例えば、１０ビットのＣＳＩ）を同時に送信することができる。すなわち、移動局装置は、ＰＵＣＣＨフォーマット３を使用して、単一のセルまたは複数のセルに対応するＨＡＲＱ−ＡＣＫが多重された、単一のセルまたは複数のセルに対応するＣＳＩを送信することができる。
【００７３】
また、移動局装置は、ＰＵＣＣＨフォーマット３を使用して、単一のセルまたは複数のセルに対応するＨＡＲＱ−ＡＣＫのみを送信することができる。また、移動局装置は、ＰＵＣＣＨフォーマット３を使用して、単一のセルまたは複数のセルに対応するＣＳＩのみを送信することができる。
【００７４】
ここで、複数のセルに対応するＨＡＲＱ−ＡＣＫには、複数のセル（複数のセルのＰＤＳＣＨ）で送信される下りリンクトランスポートブロックに対するＨＡＲＱ−ＡＣＫが含まれる。すなわち、複数のセルに対応するＨＡＲＱ−ＡＣＫには、所定の数までのセル（所定の数までのセルのＰＤＳＣＨ）に対応する所定の数までのＨＡＲＱ−ＡＣＫが含まれる。
【００７５】
また、複数のセルに対応するＣＳＩには、複数のセルで送信される下りリンク信号（例えば、ＰＤＳＣＨや下りリンクトランスポートブロックなど）に対するＣＳＩが含まれる。すなわち、複数のセルに対応するＣＳＩには、所定の数までのセルに対応する所定の数までのＣＳＩが含まれる。
【００７６】
また、例えば、移動局装置は、ＰＵＣＣＨフォーマット３を使用して、複数のセルに対応するＨＡＲＱ−ＡＣＫと、複数のセルに対応するＣＳＩと、スケジューリングリクエストを、（多重して）送信することができる。また、例えば、ＰＵＣＣＨフォーマット３には、符号化方式としてブロック符号化が適用される。ここで、例えば、ブロック符号化を適用することによって、４８ビットの符号化ビット系列が生成される。例えば、移動局装置は、ＰＵＣＣＨフォーマット３を使用して、サブフレーム辺り４８ビットの符号化ビット（情報）を送信することができる。
【００７７】
また、例えば、移動局装置は、ＰＵＣＣＨフォーマット３を使用して、複数のセルに対応するＣＳＩのみを送信する場合には、２２ビットまでのＣＳＩを送信することができる。また、例えば、移動局装置が、ＰＵＣＣＨフォーマット３を使用して、ＨＡＲＱ−ＡＣＫのみ（または、ＨＡＲＱ−ＡＣＫとスケジューリングリクエストのみ）を送信する場合には、２２ビットまでのＨＡＲＱ−ＡＣＫ（または、ＨＡＲＱ−ＡＣＫとスケジューリングリクエスト）を送信することができる。
【００７８】
ここで、移動局装置は、ＰＵＣＣＨフォーマット３を使用して、単一のセルまたは複数のセルに対応するＨＡＲＱ−ＡＣＫのみを送信し、ＰＵＣＣＨフォーマット３と同様の構造のＰＵＣＣＨフォーマット（例えば、ＰＵＣＣＨフォーマット４）を使用して、単一のセルまたは複数のセルに対応するＨＡＲＱ−ＡＣＫ、および／または、単一のセルまたは複数のセルに対応するＣＳＩを送信しても良い。
【００７９】
以下、基本的には、移動局装置が、ＰＵＣＣＨフォーマット３を使用して、単一のセルまたは複数のセルに対応するＨＡＲＱ−ＡＣＫ、および／または、単一のセルまたは複数のセルに対応するＣＳＩを送信することを記載するが、移動局装置が、ＰＵＣＣＨフォーマット３と同様の構造のＰＵＣＣＨフォーマットを使用して、単一のセルまたは複数のセルに対応するＨＡＲＱ−ＡＣＫ、および／または、単一のセルまたは複数のセルに対応するＣＳＩを送信する場合であっても、同様の形態が適用できることは勿論である。
【００８０】
さらに、基地局装置と移動局装置は、上位層（Higher layer）において信号をやり取り（送受信）する。例えば、基地局装置と移動局装置は、無線リソース制御（ＲＲＣ：Radio Resource Control）層において、無線リソース制御信号（ＲＲＣシグナリング：Radio Resource Control signaling、ＲＲＣメッセージ：Radio Resource Control message、ＲＲＣ情報：Radio Resource Control informationとも呼称される）を送受信する。
【００８１】
ここで、ＲＲＣ層において、基地局装置によって、ある移動局装置に対して送信される専用の信号は、dedicated signal（ある移動局装置専用の信号）とも呼称される。すなわち、基地局装置によって、dedicated signalを使用して指定される設定（情報）は、ある移動局装置に固有（UE-specific）な設定となる。また、基地局装置と移動局装置は、ＭＡＣ（Medium Access Control）層において、ＭＡＣコントロールエレメントを送受信する。ここで、ＲＲＣシグナリングおよび／またはＭＡＣコントロールエレメントは、上位層の信号（Higher layer signaling）とも呼称される。
【００８２】
［基地局装置の構成］
図２は、本実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。ここで、基地局装置１００を構成する各部を、ユニットとも呼称する。
【００８３】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００８４】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００８５】
送信データ変調部１０２は、送信データをＯＦＤＭ方式に変調する。送信データ変調部１０２は、データ制御部１０１から入力されたデータに対して、スケジューリング部１０４からのスケジューリング情報や、各物理リソースブロック（ＰＲＢ：Physical Resource Block）に対応する変調方式および符号化方式に基づいて、コーディング、入力信号の直列／並列変換、ＩＦＦＴ（逆高速フーリエ変換：Inverse Fast Fourier Transform）処理、ＣＰ（Cyclic Prefix）挿入、並びに、フィルタリングなどの信号処理を行ない、送信データを生成して、無線部１０３へ出力する。
【００８６】
ここで、スケジューリング情報には、ＰＲＢ割り当て情報、例えば、周波数、時間によって構成されるＰＲＢの位置情報が含まれ、各ＰＲＢに対応する変調方式および符号化方式には、例えば、変調方式：１６ＱＡＭ、符号化率：２／３コーディングレートなどの情報が含まれる。
【００８７】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００８８】
スケジューリング部１０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００８９】
スケジューリング部１０４は、下りリンクのスケジューリングでは、移動局装置２００から受信した上りリンク制御情報や、各移動局装置２００において使用可能なＰＲＢの情報や、バッファ状況や、上位層１０８から入力されたスケジューリング情報などに基づいて、各データを変調するための下りリンクのトランスポートフォーマット（送信形態、すなわち、ＰＲＢの割り当てや変調方式や符号化方式）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００９０】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００において使用可能なＰＲＢの情報、上位層１０８から入力されたスケジューリング情報などに基づいて、各データを変調するための上りリンクのトランスポートフォーマット（送信形態、すなわち、ＰＲＢの割り当てや変調方式や符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００９１】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００９２】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００９３】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００９４】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩやＨＡＲＱにおける制御情報やスケジューリングリクエストなどが含まれている。
【００９５】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００９６】
上位層１０８は、無線リソース制御部１１０（制御部とも呼称される）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置１００への情報および上位ノードへの情報の授受を行なう。
【００９７】
［移動局装置の構成］
図３は、本実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。ここで、移動局装置２００を構成する各部を、ユニットとも呼称する。
【００９８】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００９９】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【０１００】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【０１０１】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【０１０２】
スケジューリング部２０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【０１０３】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【０１０４】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【０１０５】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Cyclic Redundancy Check）の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【０１０６】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態の推定結果を通知するために、下りリンク参照信号から下りリンクのチャネル状態を推定し、この推定結果を、チャネル状態情報として、スケジューリング部２０４に出力する。
【０１０７】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【０１０８】
データ抽出部２０７は、受信データ復調部２０６から入力されたデータに対して、ＣＲＣを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【０１０９】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【０１１０】
上位層２０８は、無線リソース制御部２１０（制御部とも呼称される）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【０１１１】
［セル集約（キャリア集約）について］
図４は、本実施形態に係るセル集約（または、キャリア集約）を説明する図である。本実施形態において、セル集約は、上りリンクと下りリンクでサポートされ、例えば、各サービングセルは１１０リソースブロックまでの送信帯域幅を持つことができる。
【０１１２】
図４は、３つのサービングセル（サービングセル１、サービングセル２、サービングセル３）が集約されていることを示している。ここで、下りリンクにおけるサービングセルは、下りリンクセルとも呼称される。また、上りリンクにおけるサービングセルは、上りリンクセルとも呼称される。ここで、サービングセルは、単に、セルとも呼称される。
【０１１３】
図４において、基地局装置は、通信に使用するかもしれない（ＰＤＣＣＨおよび／またはＰＤＳＣＨおよび／またはＰＵＳＣＨを割り当てるかもしない）１つまたは複数のサービングセルのセットを、移動局装置に対して設定する。例えば、基地局装置は、サービングセルのセットを、ＲＲＣシグナリングを使用して、移動局装置に対して設定する。
【０１１４】
ここで、図４において、集約された複数のサービングセルのうちの、例えば、１つのサービングセルは、プライマリセル（Ｐｃｅｌｌ：Primary cell）と定義される。例えば、プライマリセルは、ＬＴＥリリース８／リリース９のセルと同等の機能を持つサービングセルとして定義される。
【０１１５】
また、プライマリセルは、移動局装置が、初期コネクション確立（initial connection establishment）プロシージャを実行したセルとして定義される。また、プライマリセルは、移動局装置が、コネクション再確立（connection re-establishment）プロシージャを開始するセルとして定義される。また、プライマリセルは、移動局装置が、ハンドオーバプロシージャ中にプライマリセルとして指示されたセルとして定義される。
【０１１６】
ここで、例えば、基地局装置は、プライマリセルを、ＲＲＣシグナリングを使用して、移動局装置へ指示することができる。また、プライマリセルは、移動局装置が、ＰＵＣＣＨを使用して上りリンク制御情報を送信するセルとして定義される。すなわち、ＰＵＣＣＨは、プライマリセルのみに配置される。
【０１１７】
また、図４において、プライマリセルを除いたサービングセルは、セカンダリセル（Ｓｃｅｌｌ：Secondary cell）と定義される。セカンダリセルは、主に、移動局装置に対して追加の無線リソースを提供するために使用され、ＰＤＳＣＨ、ＰＵＳＣＨ、ＰＲＡＣＨでの情報の送受信に使用される。例えば、基地局装置は、セカンダリセルを、ＲＲＣシグナリングを使用して、移動局装置へ指示することができる。また、例えば、基地局装置は、ＲＲＣシグナリングを使用して、移動局装置へセカンダリセルの追加／除去を指示することができる。
【０１１８】
ここで、下りリンクにおいてサービングセルに対応するキャリアは、下りリンクコンポーネントキャリア（ＤＬＣＣ：Downlink Component Carrier）と定義される。また、上りリンクにおいてサービングセルに対応するキャリアは、上りリンクコンポーネントキャリア（ＵＬＣＣ：Uplink Component Carrier）と定義される。
【０１１９】
また、下りリンクにおいてプライマリセルに対応するキャリアは、下りリンクプライマリコンポーネントキャリア（ＤＬＰＣＣ:Downlink Primary Component Carrier）と定義される。また、下りリンクにおいてセカンダリセルに対応するキャリアは、下りリンクセカンダリコンポーネントキャリア（ＤＬＳＣＣ:Downlink Secondary Component Carrier）と定義される。
【０１２０】
また、上りリンクにおいてプライマリセルに対応するキャリアは、上りリンクプライマリコンポーネントキャリア（ＵＬＰＣＣ：Uplink Primary Component Carrier）と定義される。さらに、上りリンクにおいてセカンダリセルに対応するキャリアは、上りリンクセカンダリコンポーネントキャリア（ＵＬＳＣＣ:Uplink Secondary Component Carrier）と定義される。
【０１２１】
（第１の実施形態）
次に、基地局装置１００および移動局装置２００を用いた移動通信システムにおける本実施形態を説明する。本実施形態において、基地局装置は、ＨＡＲＱ−ＡＣＫとＣＳＩの同時送信に関する第１のパラメータと、ＨＡＲＱ−ＡＣＫとＣＳＩの同時送信に関する第２のパラメータと、を移動局装置へ送信する。また、本実施形態において、移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを、基地局装置へ送信する。また、本実施形態において、移動局装置は、セカンダリセルにおける１つのＰＤＳＣＨの送信に対応するＨＡＲＱ−ＡＣＫを送信する場合には、第２のパラメータに従って、ＨＡＲＱ−ＡＣＫおよび／またはＣＳＩを、基地局装置へ送信する。
【０１２２】
また、本実施形態において、基地局装置は、ＨＡＲＱ−ＡＣＫとＣＳＩの同時送信に関する第１のパラメータと、ＨＡＲＱ−ＡＣＫとＣＳＩの同時送信に関する第２のパラメータと、を移動局装置へ送信する。また、本実施形態において、移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを、基地局装置へ送信する。また、本実施形態において、移動局装置は、少なくとも１つのセカンダリセルにおけるＰＤＳＣＨの送信に対応するＨＡＲＱ−ＡＣＫを送信する場合には、第２のパラメータに従って、ＨＡＲＱ−ＡＣＫおよび／またはＣＳＩを、基地局装置へ送信する。
【０１２３】
また、本実施形態において、基地局装置は、ＨＡＲＱ−ＡＣＫとＣＳＩの同時送信に関する第１のパラメータと、ＨＡＲＱ−ＡＣＫとＣＳＩの同時送信に関する第２のパラメータと、を移動局装置へ送信する。また、本実施形態において、移動局装置は、プライマリセルのみにおける１つのＰＤＳＣＨの送信を指示する下りリンク制御情報を１つのＰＤＣＣＨで検出した場合には、第１のパラメータに従って、ＨＡＲＱ−ＡＣＫおよび／またはＣＳＩを、基地局装置へ送信する。また、本実施形態において、移動局装置は、セカンダリセルにおける１つのＰＤＳＣＨの送信を指示する下りリンク制御情報を１つのＰＤＣＣＨで検出した場合には、第２のパラメータに従って、ＨＡＲＱ−ＡＣＫおよび／またはＣＳＩを、基地局装置へ送信する。
【０１２４】
また、本実施形態において、基地局装置は、ＨＡＲＱ−ＡＣＫとＣＳＩの同時送信に関する第１のパラメータと、ＨＡＲＱ−ＡＣＫとＣＳＩの同時送信に関する第２のパラメータと、を移動局装置へ送信する。また、本実施形態において、移動局装置は、プライマリセルのみにおける１つのＰＤＳＣＨの送信を指示する下りリンク制御情報を１つのＰＤＣＣＨで検出した場合には、第１のパラメータに従って、ＨＡＲＱ−ＡＣＫおよび／またはＣＳＩを、基地局装置へ送信する。また、本実施形態において、移動局装置は、少なくとも１つのセカンダリセルにおけるＰＤＳＣＨの送信を指示する下りリンク制御情報をＰＤＣＣＨで検出した場合には、第２のパラメータに従って、ＨＡＲＱ−ＡＣＫおよび／またはＣＳＩを、基地局装置へ送信する。
【０１２５】
ここで、ＨＡＲＱ−ＡＣＫには、下りリンクトランスポートブロックに対するＡＣＫ／ＮＡＣＫを示す情報が含まれる。また、ＨＡＲＱ−ＡＣＫには、ＤＴＸを示す情報が含まれる。また、ＣＳＩには、移動局装置によって周期的に送信される（報告される）ＣＳＩ（periodic CSI report）が含まれる。
【０１２６】
ここで、例えば、基地局装置は、第１のパラメータを、上位層の信号（例えば、dedicated signal）を使用して、移動局装置へ送信する。また、基地局装置は、第２のパラメータを、上位層の信号（例えば、dedicated signal）を使用して、移動局装置へ送信する。
【０１２７】
ここで、第１のパラメータには、単一のセルに対応するＨＡＲＱ−ＡＣＫと単一のセルに対応するＣＳＩの同時送信に関するパラメータが含まれる。すなわち、第１のパラメータには、単一のセルで送信される下りリンクトランスポートブロックに対するＨＡＲＱ−ＡＣＫと、単一のセルで送信される下りリンク信号に対するＣＳＩの同時送信に関するパラメータが含まれる。すなわち、基地局装置は、単一のセルに対応するＨＡＲＱ−ＡＣＫと単一のセルに対応するＣＳＩの同時送信を許可するかどうかを、第１のパラメータを用いて、移動局装置に対して設定することができる。すなわち、第１のパラメータは、単一のセルに対応するＨＡＲＱ−ＡＣＫと単一のセルに対応するＣＳＩの同時送信が設定されているかどうかを、移動局装置へ指示するために使用される。
【０１２８】
また、例えば、第１のパラメータには、ＰＵＣＣＨフォーマット２/２ａ/２ｂ（ＰＵＣＣＨフォーマット２、または、ＰＵＣＣＨフォーマット２ａ、または、ＰＵＣＣＨフォーマット２ｂ）を使用した単一のセルに対応するＨＡＲＱ−ＡＣＫと単一のセルに対応するＣＳＩの同時送信に関するパラメータが含まれる。すなわち、基地局装置は、ＰＵＣＣＨフォーマット２/２ａ/２ｂを使用した単一のセルに対応するＨＡＲＱ−ＡＣＫと単一のセルに対応するＣＳＩの同時送信を許可するかどうかを、第１のパラメータを用いて、移動局装置に対して設定することができる。すなわち、第１のパラメータは、ＰＵＣＣＨフォーマット２/２ａ/２ｂを使用した単一のセルに対応するＨＡＲＱ−ＡＣＫと単一のセルに対応するＣＳＩの同時送信が設定されているかどうかを、移動局装置へ指示するために使用される。
【０１２９】
ここで、例えば、基地局装置は、単一のセルに対応するＨＡＲＱ−ＡＣＫと単一のセルに対応するＣＳＩの同時送信を許可する場合（設定する場合）には、第１のパラメータをＴＲＵＥにセットする。また、基地局装置は、単一のセルに対応するＨＡＲＱ−ＡＣＫと単一のセルに対応するＣＳＩの同時送信を許可しない場合（設定しない場合）には、第１のパラメータをＦＡＬＳＥにセットする。すなわち、第１のパラメータは、単一のセルに対応するＨＡＲＱ−ＡＣＫと単一のセルに対応するＣＳＩの同時送信の設定を指示するために使用される。以下、第１のパラメータを、“simultaneousAckNackAndCQI”とも記載する。
【０１３０】
例えば、移動局装置は、第１のパラメータがＴＲＵＥにセットされている場合には、単一のセルに対応するＨＡＲＱ−ＡＣＫと単一のセルに対応するＣＳＩを同時に送信することができる。また、移動局装置は、第１のパラメータがＴＲＵＥにセットされている場合には、単一のセルに対応するＨＡＲＱ−ＡＣＫと単一のセルに対応するＣＳＩを、ＰＵＣＣＨフォーマット２/２ａ/２ｂを使用して送信することができる。また、移動局装置は、第１のパラメータがＴＲＵＥにセットされている場合には、単一のセルに対応するＨＡＲＱ−ＡＣＫと単一のセルに対応するＣＳＩを、後述するｎ（２）ＰＵＣＣＨリソースを使用して送信することができる。
【０１３１】
また、例えば、移動局装置は、第１のパラメータがＦＡＬＳＥにセットされている場合には、単一のセルに対応するＣＳＩをドロップし（単一のセルに対応するＣＳＩを送信せずに）、単一のセルに対応するＨＡＲＱ−ＡＣＫのみを送信することができる。また、移動局装置は、第１のパラメータがＦＡＬＳＥにセットされている場合には、単一のセルに対応するＨＡＲＱ−ＡＣＫのみを、ＰＵＣＣＨフォーマット１ａ/１ｂを使用して送信することができる。また、移動局装置は、第１のパラメータがＦＡＬＳＥにセットされている場合には、単一のセルに対応するＨＡＲＱ−ＡＣＫのみを、後述するｎ（１）ＰＵＣＣＨリソースを使用して送信することができる。
【０１３２】
また、第２のパラメータには、単一のセルまたは複数のセルに対応するＨＡＲＱ−ＡＣＫと、単一のセルまたは複数のセルに対応するＣＳＩの同時送信に関するパラメータが含まれる。すなわち、第２のパラメータには、単一のセルまたは複数のセルで送信される下りリンクトランスポートブロックに対するＨＡＲＱ−ＡＣＫと、単一のセルまたは複数のセルで送信される下りリンク信号に対するＣＳＩの同時送信に関するパラメータが含まれる。すなわち、基地局装置は、単一のセルまたは複数のセルに対応するＨＡＲＱ−ＡＣＫと、単一のセルまたは複数のセルに対応するＣＳＩの同時送信を許可するかどうかを、第２のパラメータを用いて、移動局装置に対して設定することができる。すなわち、第２のパラメータは、単一のセルまたは複数のセルに対応するＨＡＲＱ−ＡＣＫと、単一のセルまたは複数のセルに対応するＣＳＩの同時送信が設定されているかどうかを、移動局装置へ指示するために使用される。
【０１３３】
また、例えば、第２のパラメータには、ＰＵＣＣＨフォーマット３を使用した単一のセルまたは複数のセルに対応するＨＡＲＱ−ＡＣＫと単一のセルまたは複数のセルに対応するＣＳＩの同時送信に関するパラメータが含まれる。すなわち、基地局装置は、ＰＵＣＣＨフォーマット３を使用した単一のセルまたは複数のセルに対応するＨＡＲＱ−ＡＣＫと単一のセルまたは複数のセルに対応するＣＳＩの同時送信を許可するかどうかを、第２のパラメータを用いて、移動局装置に対して設定することができる。すなわち、第２のパラメータは、ＰＵＣＣＨフォーマット３を使用した単一のセルまたは複数のセルに対応するＨＡＲＱ−ＡＣＫと、単一のセルまたは複数のセルに対応するＣＳＩの同時送信が設定されているかどうかを、移動局装置へ指示するために使用される。
【０１３４】
ここで、例えば、基地局装置は、単一のセルまたは複数のセルに対応するＨＡＲＱ−ＡＣＫと単一のセルまたは複数のセルに対応するＣＳＩの同時送信を許可する場合（設定する場合）には、第２のパラメータをＴＲＵＥにセットする。また、基地局装置は、単一のセルまたは複数のセルに対応するＨＡＲＱ−ＡＣＫと単一のセルまたは複数のセルに対応するＣＳＩの同時送信を許可しない場合（設定しない場合）には、第２のパラメータをＦＡＬＳＥにセットする。すなわち、第２のパラメータは、単一のセルまたは複数のセルに対応するＨＡＲＱ−ＡＣＫと単一のセルまたは複数のセルに対応するＣＳＩの同時送信の設定を指示するために使用される。以下、第２のパラメータを、“simultaneousAckNackAndCQI_v11”とも記載する。
【０１３５】
例えば、移動局装置は、第２のパラメータがＴＲＵＥにセットされている場合には、単一のセルまたは複数のセルに対応するＨＡＲＱ−ＡＣＫと単一のセルまたは複数のセルに対応するＣＳＩを同時に送信することができる。また、移動局装置は、第２のパラメータがＴＲＵＥにセットされている場合には、単一のセルまたは複数のセルに対応するＨＡＲＱ−ＡＣＫと単一のセルまたは複数のセルに対応するＣＳＩを、ＰＵＣＣＨフォーマット３を使用して送信することができる。また、移動局装置は、第１のパラメータがＴＲＵＥにセットされている場合には、単一のセルまたは複数のセルに対応するＨＡＲＱ−ＡＣＫと単一のセルまたは複数のセルに対応するＣＳＩを、後述するｎ（３）ＰＵＣＣＨリソースを使用して送信することができる。
【０１３６】
また、例えば、移動局装置は、第２のパラメータがＦＡＬＳＥにセットされている場合には、単一のセルまたは複数のセルに対応するＣＳＩをドロップし（単一のセルまたは複数のセルに対応するＣＳＩを送信せずに）、単一のセルまたは複数のセルに対応するＨＡＲＱ−ＡＣＫのみを送信することができる。また、移動局装置は、第２のパラメータがＦＡＬＳＥにセットされている場合には、単一のセルまたは複数のセルに対応するＨＡＲＱ−ＡＣＫのみを、ＰＵＣＣＨフォーマット３を使用して送信することができる。また、移動局装置は、第２のパラメータがＦＡＬＳＥにセットされている場合には、単一のセルまたは複数のセルに対応するＨＡＲＱ−ＡＣＫのみを、後述するｎ（３）ＰＵＣＣＨリソースを使用して送信することができる。
【０１３７】
ここで、ＰＵＣＣＨフォーマット３を使用して送信されるＨＡＲＱ−ＡＣＫのビット数は、セルの数と各セルにおける下りリンク送信モードによって決定される。例えば、基地局装置は、セルの数と各セルにおける下りリンク送信モードを、上位層の信号（例えば、dedicated signal）を使用して、移動局装置に対して設定することができる。
【０１３８】
また、基地局装置は、ＰＵＣＣＨとＰＵＳＣＨの同時送信に関する第３のパラメータを、移動局装置へ送信（設定）することができる。すなわち、第３のパラメータには、ＰＵＣＣＨとＰＵＳＣＨの同時送信に関するパラメータが含まれる。
【０１３９】
ここで、例えば、基地局装置は、第３のパラメータを、上位層の信号（例えば、dedicated signal）を使用して、移動局装置へ送信する。すなわち、例えば、基地局装置は、上位層の信号を使用して、ＰＵＣＣＨとＰＵＳＣＨの同時送信を許可するかどうかを、第３のパラメータを用いて、移動局装置に対して設定することができる。すなわち、第３のパラメータは、ＰＵＣＣＨとＰＵＳＣＨの同時送信が設定されているかどうかを、移動局装置へ指示するために使用される。
【０１４０】
例えば、基地局装置は、ＰＵＣＣＨとＰＵＳＣＨの同時送信を許可する場合（設定する場合）には、第３のパラメータをＴＲＵＥにセットする。また、基地局装置は、ＰＵＣＣＨとＰＵＳＣＨの同時送信を許可しない場合（設定しない場合）には、第３のパラメータをＦＡＬＳＥにセットする。すなわち、第３のパラメータは、ＰＵＣＣＨとＰＵＳＣＨの同時送信の設定を指示するために使用される。以下、第３のパラメータを、“simultaneousPUCCH-PUSCH”とも記載する。
【０１４１】
例えば、第１のパラメータ、第２のパラメータ、および第３のパラメータのデフォルト値は、ＦＡＬＳＥである。
【０１４２】
図５は、本実施形態を説明する図である。図５は、本実施形態を説明する例として、３つのサービングセルが示されている。ここで、図５は、図４に対応している。すなわち、図５は、１つのプライマリセル（ＤＬＰＣＣ、ＵＬＰＣＣ）と２つのセカンダリセル（ＤＬＳＣＣ−１、ＤＬＳＣＣ−２、ＵＬＳＣＣ−１）を示している。
【０１４３】
図５において、基地局装置は、サービングセル（下りリンクセル）に配置された（１つまたは複数の）ＰＤＣＣＨで送信される下りリンク制御情報を使用して、同一サブフレームで、（１つまたは複数の）ＰＤＳＣＨをスケジュールする（割り当てる）。ここで、基地局装置は、１つのＰＤＣＣＨで送信される下りリンク制御情報を使用して、同一サブフレームで、複数のＰＤＳＣＨをスケジュールすることはできない。
【０１４４】
また、基地局装置は、ＰＤＣＣＨが配置されたサービングセル（下りリンクセル）と同一のサービングセル（下りリンクセル）に配置されたＰＤＳＣＨをスケジュールすることができる。図５では、例として、基地局装置が、ＤＬＰＣＣに配置されたＰＤＣＣＨ（斜線で示されるＰＤＣＣＨ）で送信される下りリンク制御情報を使用して、ＤＬＰＣＣに配置されたＰＤＳＣＨをスケジュールしていることが、実線で示されている。また、基地局装置が、ＤＬＳＣＣ−１に配置されたＰＤＣＣＨ（格子線で示されるＰＤＣＣＨ）で送信される下りリンク制御情報を使用して、ＤＬＳＣＣ−１に配置されたＰＤＳＣＨをスケジュールしていることが、実線で示されている。また、基地局装置が、ＤＬＳＣＣ−２に配置されたＰＤＣＣＨ（網線で示されるＰＤＣＣＨ）で送信される下りリンク制御情報を使用して、ＤＬＳＣＣ−２に配置されたＰＤＳＣＨをスケジュールしていることが、実線で示されている。
【０１４５】
また、図５において、基地局装置は、ＰＤＣＣＨが配置されたサービングセル（下りリンクセル）と同一、または、異なるサービングセル（下りリンクセル）に配置されたＰＤＳＣＨをスケジュールすることができる。例えば、基地局装置は、ＰＤＣＣＨで送信される下りリンク制御情報にコンポーネントキャリア指示（ＣＩＦ：Component carrier Indicator、例えば、３ビットで表される）を含めて送信することによって、ＰＤＣＣＨが配置されたサービングセルと同一、または、異なるサービングセルに配置されたＰＤＳＣＨをスケジュールすることができる。
【０１４６】
図５では、例として、基地局装置が、ＤＬＰＣＣに配置されたＰＤＣＣＨ（斜線で示される）で送信される下りリンク制御情報を使用して、ＤＬＰＣＣに配置されたＰＤＳＣＨをスケジュールしていることが、点線で示されている。また、基地局装置が、ＤＬＳＣＣ−１に配置されたＰＤＣＣＨ（格子線で示される）で送信される下りリンク制御情報を使用して、ＤＬＳＣＣ−１に配置されたＰＤＳＣＨをスケジュールしていることが、点線で示されている。また、基地局装置が、ＤＬＳＣＣ−１に配置されたＰＤＣＣＨ（網線で示される）で送信される下りリンク制御情報を使用して、ＤＬＳＣＣ−２に配置されたＰＤＳＣＨをスケジュールしていることが、点線で示されている。
【０１４７】
ここで、プライマリセルにおけるＰＤＳＣＨは、常に、プライマリセルにおけるＰＤＣＣＨで送信される下りリンク制御情報を使用してスケジュールされる。すなわち、プライマリセルにおけるＰＤＳＣＨは、セカンダリセルにおけるＰＤＣＣＨで送信される下りリンク制御情報を使用してスケジュールされない。
【０１４８】
図５において、基地局装置は、ＰＤＣＣＨで送信される下りリンク制御情報によってスケジュールされたＰＤＳＣＨを使用して、下りリンクトランスポートブロック（ＤＬ−ＳＣＨに対するトランスポートブロック）を送信する。例えば、基地局装置は、ＤＬＰＣＣ、ＤＬＳＣＣ−１、ＤＬＳＣＣ−２に配置されたＰＤＣＣＨそれぞれで送信される下りリンク制御情報によってスケジュールされたＰＤＳＣＨを使用して、同一サブフレームで、複数の下りリンクトランスポートブロックを送信することができる。
【０１４９】
また、図５において、ＵＬＰＣＣに配置されたＰＵＣＣＨ（点模様で示されるＰＵＣＣＨリソース領域）から点線で伸びている領域は、ＵＬＰＣＣに配置されたＰＵＣＣＨリソース領域を概念的に示したものである。ここで、図５では、説明を分かり易くするために、横方向を物理リソースブロック（時間-周波数リソース、単に、周波数リソース、帯域幅として表されても良い）としており、直交リソースに関しては記載されていない。
【０１５０】
図５において、基地局装置は、移動局装置がＰＵＣＣＨを利用可能な第１の領域（ＲＢ６からＲＢ８で示されるＰＵＣＣＨリソース領域Ａ）を指定することができる。すなわち、基地局装置は、移動局装置がＰＵＣＣＨフォーマット１／１ａ／１ｂ（ＰＵＣＣＨフォーマット１、または、ＰＵＣＣＨフォーマット１ａ、または、ＰＵＣＣＨフォーマット１ｂ）を利用可能な第１の領域を指定することができる。
【０１５１】
例えば、基地局装置は、第１の領域を、上位層の信号を使用することによって、移動局装置へ指定することができる。すなわち、基地局装置は、第１の領域に対する帯域幅に関する情報を通知することによって、第１の領域を移動局装置へ指定することができる。また、基地局装置は、第１の領域に対する開始位置（starting point）に関する情報を通知することによって、第１の領域を移動局装置へ指定することができる。また、基地局装置は、第１の領域に対する直交リソースに関する情報を通知することによって、第１の領域を移動局装置へ指定することができる。ここで、例えば、直交リソースに関する情報とは、ＣＡＺＡＣシーケンスのサイクリックシフト（の数）やオーソゴナルシーケンスのインデックスなどが含まれる。
【０１５２】
また、基地局装置は、移動局装置がＰＵＣＣＨを利用可能な第２の領域（ＲＢ１からＲＢ２で示されるＰＵＣＣＨリソース領域Ｂ）を指定することができる。すなわち、基地局装置は、移動局装置がＰＵＣＣＨフォーマット２／２ａ／２ｂ（ＰＵＣＣＨフォーマット２、または、ＰＵＣＣＨフォーマット２ａ、または、ＰＵＣＣＨフォーマット２ｂ）を利用可能な第２の領域を指定することができる。
【０１５３】
例えば、基地局装置は、第２の領域を、上位層の信号を使用することによって、移動局装置へ指定することができる。すなわち、基地局装置は、第２の領域に対する帯域幅に関する情報を通知することによって、第２の領域を移動局装置へ指定することができる。また、基地局装置は、第２の領域に対する開始位置（starting point）に関する情報を通知することによって、第２の領域を移動局装置へ指定することができる。また、基地局装置は、第２の領域に対する直交リソースに関する情報を通知することによって、第２の領域を移動局装置へ指定することができる。
【０１５４】
また、基地局装置は、移動局装置がＰＵＣＣＨを利用可能な第３の領域（ＲＢ３からＲＢ５で示されるＰＵＣＣＨリソース領域Ｃ）を指定することができる。すなわち、基地局装置は、移動局装置がＰＵＣＣＨフォーマット３を利用可能な第３の領域を指定することができる。
【０１５５】
例えば、基地局装置は、第３の領域を、上位層の信号を使用することによって、移動局装置へ指定することができる。すなわち、基地局装置は、第３の領域に対する帯域幅に関する情報を通知することによって、第３の領域を移動局装置へ指定することができる。また、基地局装置は、第３の領域に対する開始位置（starting point）に関する情報を通知することによって、第３の領域を移動局装置へ指定することができる。また、基地局装置は、第３の領域に対する直交リソースに関する情報を通知することによって、第３の領域を移動局装置へ指定することができる。
【０１５６】
さらに、基地局装置は、各ＰＵＣＣＨリソース領域（ＰＵＣＣＨリソース領域Ａ、ＰＵＣＣＨリソース領域Ｂ、ＰＵＣＣＨリソース領域Ｃ）において、ＰＵＣＣＨリソースを移動局装置へスケジュールする（割り当てる、設定する、指示する）ことができる。すなわち、基地局装置は、移動局装置によって上りリンク制御情報（ＨＡＲＱ−ＡＣＫおよび／またはＣＳＩおよび／またはスケジューリングリクエスト）を送信するために使用されるＰＵＣＣＨリソースを、各ＰＵＣＣＨリソース領域においてスケジュールすることができる。
【０１５７】
すなわち、基地局装置は、移動局装置がＰＵＣＣＨフォーマット１／１ａ／１ｂを使用して上りリンク制御情報を送信するために使用されるＰＵＣＣＨリソース（ｎ（１）ＰＵＣＣＨリソースとも呼称される）をスケジュールすることができる。また、基地局装置は、移動局装置がＰＵＣＣＨフォーマット２／２ａ／２ｂを使用して上りリンク制御情報を送信するために使用されるＰＵＣＣＨリソース（ｎ（２）ＰＵＣＣＨリソースとも呼称される）をスケジュールすることができる。また、基地局装置は、移動局装置がＰＵＣＣＨフォーマット３を使用して上りリンク制御情報を送信するために使用されるＰＵＣＣＨリソース（ｎ（３）ＰＵＣＣＨリソースとも呼称される）をスケジュールすることができる。
【０１５８】
例えば、基地局装置は、ＰＵＣＣＨリソースを、上位層の信号を使用して、移動局装置に対して設定することができる。例えば、基地局装置は、ｎ（２）ＰＵＣＣＨリソースを、上位層の信号を使用して、移動局装置に対して設定することができる。
【０１５９】
また、例えば、基地局装置は、ＰＵＣＣＨリソースを、ＰＤＣＣＨに関連付けて指示することができる。例えば、基地局装置は、ｎ（１）ＰＵＣＣＨリソースを、ＰＤＣＣＨの送信に使用される（ＰＤＣＣＨを構成する）最初の制御チャネル要素（ＣＣＥ：Control Channel Element）の数（最初のＣＣＥの値、the number of the first CCE）を使用することによって、移動局装置へ指示することができる。
【０１６０】
また、例えば、基地局装置は、ＰＵＣＣＨリソースを、上位層の信号と、ＰＤＣＣＨで送信される下りリンク制御情報を使用して指示することができる。例えば、基地局装置は、上位層の信号によって４つのＰＵＣＣＨリソースを設定し、さらに、下りリンク制御情報を使用して、設定した４つのＰＵＣＣＨリソースの中から１つのＰＵＣＣＨリソースを指示することによって、ｎ（３）ＰＵＣＣＨリソースを、移動局装置へ指示することができる。
【０１６１】
すなわち、基地局装置は、移動局装置が、ＰＵＣＣＨフォーマット１／１ａ／１ｂ、または、ＰＵＣＣＨフォーマット２／２ａ／２ｂ、または、ＰＵＣＣＨフォーマット３を使用して、上りリンク制御情報を送信するために使用されるＰＵＣＣＨリソースのそれぞれをスケジュールすることができる。すなわち、基地局装置は、ｎ（１）ＰＵＣＣＨリソース、ｎ（２）ＰＵＣＣＨリソース、ｎ（３）ＰＵＣＣＨリソースとして、それぞれ異なるＰＵＣＣＨリソースをスケジュールすることができる。
【０１６２】
図５において、移動局装置は、ＰＤＣＣＨで送信された下りリンク制御情報によってスケジュールされたＰＵＳＣＨを使用して、上りリンクトランスポートブロック（ＵＬ−ＳＣＨに対するトランスポートブロック）を送信する。例えば、移動局装置は、ＵＬＰＣＣ，ＵＬＳＣＣ−１に配置されたＰＵＳＣＨを使用して、同一サブフレームで、複数の上りリンクトランスポートブロックを送信することができる。
【０１６３】
また、図５において、移動局装置は、ＰＵＳＣＨおよび／またはＰＵＣＣＨを使用して上りリンク制御情報を送信する。すなわち、例えば、移動局装置は、基地局装置によってスケジュールされたＰＵＳＣＨリソースを使用して、上りリンク制御情報を送信する。
【０１６４】
また、移動局装置は、ＰＵＣＣＨフォーマット（ＰＵＣＣＨフォーマット１／１ａ／１ｂ、または、ＰＵＣＣＨフォーマット２／２ａ／２ｂ、または、ＰＵＣＣＨフォーマット３）を使用して、上りリンク制御情報を送信する。この際、移動局装置は、基地局装置によってスケジュールされたＰＵＣＣＨリソース（ｎ（１）ＰＵＣＣＨリソース、または、ｎ（２）ＰＵＣＣＨリソース、または、ｎ（３）ＰＵＣＣＨリソース）を使用して、上りリンク制御情報を送信する。
【０１６５】
図６は、本実施形態を説明する別の図である。図６は、ＴＲＵＥまたはＦＡＬＳＥにセットされた第１のパラメータと、ＴＲＵＥまたはＦＡＬＳＥにセットされた第２のパラメータを受信した移動局装置によるＨＡＲＱ−ＡＣＫおよび／またはＣＳＩの送信方法を示している。すなわち、図６は、基地局装置によってＰＵＳＣＨ（ＰＵＳＣＨリソース）がスケジュールされていないサブフレームにおけるＨＡＲＱ−ＡＣＫおよび／またはＣＳＩの送信方法を示している。
【０１６６】
以下、図６の説明を使用して、ＨＡＲＱ−ＡＣＫ（ＨＡＲＱ−ＡＣＫの送信）とＣＳＩ（ＣＳＩの送信）が衝突する（同時に生じる）サブフレームにおける移動局装置によるＨＡＲＱ−ＡＣＫおよび／またはＣＳＩの送信方法を記載する。ここで、図６の説明において、ＨＡＲＱ−ＡＣＫとＣＳＩが衝突するサブフレームとは、ＰＵＳＣＨを伴わないサブフレームを示している。
【０１６７】
図６に示すように、移動局装置は、ＰＵＳＣＨを伴わないサブフレームにおいて、ＨＡＲＱ−ＡＣＫとＣＳＩが衝突した場合には、どのセルにおけるＰＤＳＣＨの送信に対応するＨＡＲＱ−ＡＣＫを送信するのかに応じて、ＨＡＲＱ−ＡＣＫおよび／またはＣＳＩの送信方法を切り替える。
【０１６８】
すなわち、移動局装置は、ＨＡＲＱ−ＡＣＫとＣＳＩが衝突した場合には、どのセルのＰＤＳＣＨで送信された下りリンクトランスポートブロックに対応するＨＡＲＱ−ＡＣＫを送信するのかに応じて、ＨＡＲＱ−ＡＣＫおよび／またはＣＳＩの送信方法を切り替える。
【０１６９】
例えば、移動局装置は、ＰＵＳＣＨを伴わないサブフレームにおいて、ＨＡＲＱ−ＡＣＫとＣＳＩが衝突した場合には、どのセルにおけるＰＤＳＣＨの送信に対応するＨＡＲＱ−ＡＣＫを送信するのかに応じて、ＨＡＲＱ−ＡＣＫおよび／またはＣＳＩの送信に使用されるＰＵＣＣＨフォーマットを切り替える（異なるＰＵＣＣＨフォーマットを使用する）。
【０１７０】
また、移動局装置は、ＰＵＳＣＨを伴わないサブフレームにおいて、ＨＡＲＱ−ＡＣＫとＣＳＩが衝突した場合には、どのセルにおけるＰＤＳＣＨの送信に対応するＨＡＲＱ−ＡＣＫを送信するのかに応じて、ＨＡＲＱ−ＡＣＫおよび／またはＣＳＩの送信に使用されるＰＵＣＣＨリソースを切り替える（異なるＰＵＣＣＨリソースを使用する）。
【０１７１】
すなわち、移動局装置は、ＰＵＳＣＨを伴わないサブフレームにおいて、ＨＡＲＱ−ＡＣＫとＣＳＩが衝突した場合には、どのセルのＰＤＳＣＨで送信された下りリンクトランスポートブロックに対応するＨＡＲＱ−ＡＣＫを送信するのかに応じて、ＨＡＲＱ−ＡＣＫおよび／またはＣＳＩの送信に使用されるＰＵＣＣＨフォーマットを切り替える（異なるＰＵＣＣＨフォーマットを使用する）。
【０１７２】
また、移動局装置は、ＰＵＳＣＨを伴わないサブフレームにおいて、ＨＡＲＱ−ＡＣＫとＣＳＩが衝突した場合には、どのセルのＰＤＳＣＨで送信された下りリンクトランスポートブロックに対応するＨＡＲＱ−ＡＣＫを送信するのかに応じて、ＨＡＲＱ−ＡＣＫおよび／またはＣＳＩの送信に使用されるＰＵＣＣＨリソースを切り替える（異なるＰＵＣＣＨリソースを使用する）。
【０１７３】
例えば、移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを送信する。すなわち、移動局装置は、プライマリセルのみにおける１つのＰＤＳＣＨで送信された下りリンクトランスポートブロックに対応するＨＡＲＱ−ＡＣＫを送信する場合には、第１のパラメータに従って、ＨＡＲＱ−ＡＣＫおよび／またはＣＳＩを送信する。
【０１７４】
また、移動局装置は、セカンダリセルにおける１つのＰＤＳＣＨの送信に対応するＨＡＲＱ−ＡＣＫを送信する場合には、第２のパラメータに従って、ＨＡＲＱ−ＡＣＫおよび／またはＣＳＩを送信する。すなわち、移動局装置は、セカンダリセルにおける１つのＰＤＳＣＨで送信された下りリンクトランスポートブロックに対応するＨＡＲＱ−ＡＣＫを送信する場合には、第２のパラメータに従って、ＨＡＲＱ−ＡＣＫおよび／またはＣＳＩを送信する。
【０１７５】
また、移動局装置は、プライマリセルおよびセカンダリセルにおける複数のＰＤＳＣＨの送信に対応するＨＡＲＱ−ＡＣＫを送信する場合には、第２のパラメータに従って、ＨＡＲＱ−ＡＣＫおよび／またはＣＳＩを送信する。すなわち、移動局装置は、プライマリセルおよびセカンダリセルにおける複数のＰＤＳＣＨで送信された下りリンクトランスポートブロックに対応するＨＡＲＱ−ＡＣＫを送信する場合には、第２のパラメータに従って、ＨＡＲＱ−ＡＣＫおよび／またはＣＳＩを送信する。
【０１７６】
また、移動局装置は、複数のセカンダリセルにおける複数のＰＤＳＣＨの送信に対応するＨＡＲＱ−ＡＣＫを送信する場合には、第２のパラメータに従って、ＨＡＲＱ−ＡＣＫおよび／またはＣＳＩを送信する。すなわち、移動局装置は、複数のセカンダリセルにおける複数のＰＤＳＣＨで送信された下りリンクトランスポートブロックに対応するＨＡＲＱ−ＡＣＫを送信する場合には、第２のパラメータに従って、ＨＡＲＱ−ＡＣＫおよび／またはＣＳＩを送信する。
【０１７７】
すなわち、移動局装置は、少なくとも１つのセカンダリセルにおけるＰＤＳＣＨの送信に対応するＨＡＲＱ−ＡＣＫを送信する場合には、第２のパラメータに従って、ＨＡＲＱ−ＡＣＫおよび／またはＣＳＩを送信する。すなわち、移動局装置は、少なくとも１つのセカンダリセルにおけるＰＤＳＣＨで送信された下りリンクトランスポートブロックに対応するＨＡＲＱ−ＡＣＫを送信する場合には、第２のパラメータに従って、ＨＡＲＱ−ＡＣＫおよび／またはＣＳＩを送信する。
【０１７８】
図６に示すように、例えば、ＦＡＬＳＥにセットされた第１のパラメータと、ＦＡＬＳＥにセットされた第２のパラメータを受信した移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを送信する。
【０１７９】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット１ａ／１ｂを使用して送信する。また、移動局装置は、ＨＡＲＱ−ＡＣＫのみを、ｎ（１）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によってドロップされるＣＳＩには、単一のセル（プライマリセル、または、セカンダリセル）に対応するＣＳＩが含まれる。
【０１８０】
また、例えば、ＦＡＬＳＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、第２のパラメータに従って、ＨＡＲＱ−ＡＣＫおよび／またはＣＳＩを送信する。
【０１８１】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット３を使用して送信する。また、移動局装置は、ＨＡＲＱ−ＡＣＫのみを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によってドロップされるＣＳＩには、単一のセルまたは複数のセルに対応するＣＳＩが含まれる。
【０１８２】
また、例えば、ＴＲＵＥにセットされた第１のパラメータと、ＦＡＬＳＥにセットされた第２のパラメータを受信した移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを送信する。
【０１８３】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第１のパラメータがＴＲＵＥにセットされ、もしＨＡＲＱ−ＡＣＫがプライマリセルのみにおける１つのＰＤＳＣＨの送信に対応していたら、ＣＳＩはＨＡＲＱ−ＡＣＫとＰＵＣＣＨで多重される。
【０１８４】
すなわち、移動局装置は、ＨＡＲＱ−ＡＣＫとＣＳＩを、ＰＵＣＣＨフォーマット２／２ａ／２ｂを使用して送信する。また、移動局装置は、ＨＡＲＱ−ＡＣＫとＣＳＩを、ｎ（２）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によって送信されるＣＳＩには、単一のセル（プライマリセル、または、セカンダリセル）に対応するＣＳＩが含まれる。
【０１８５】
また、例えば、ＴＲＵＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、第２のパラメータに従って、ＨＡＲＱ−ＡＣＫおよび／またはＣＳＩを送信する。
【０１８６】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット３を使用して送信する。また、移動局装置は、ＨＡＲＱ−ＡＣＫのみを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によってドロップされるＣＳＩには、単一のセルまたは複数のセルに対応するＣＳＩが含まれる。
【０１８７】
また、例えば、ＦＡＬＳＥにセットされた第１のパラメータと、ＴＲＵＥにセットされた第２のパラメータを受信した移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを送信する。
【０１８８】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット１ａ／１ｂを使用して送信する。また、移動局装置は、ＨＡＲＱ−ＡＣＫのみを、ｎ（１）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によってドロップされるＣＳＩには、単一のセル（プライマリセル、または、セカンダリセル）に対応するＣＳＩが含まれる。
【０１８９】
また、例えば、ＦＡＬＳＥにセットされた第１のパラメータと、ＴＲＵＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、第２のパラメータに従って、ＨＡＲＱ−ＡＣＫおよび／またはＣＳＩを送信する。
【０１９０】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第２のパラメータがＴＲＵＥにセットされ、もしＨＡＲＱ−ＡＣＫがセカンダリセルにおける１つのＰＤＳＣＨの送信（少なくとも１つのセカンダリセルにおけるＰＤＳＣＨの送信でも良い）に対応していたら、ＣＳＩはＨＡＲＱ−ＡＣＫとＰＵＣＣＨで多重される。
【０１９１】
すなわち、移動局装置は、ＨＡＲＱ−ＡＣＫとＣＳＩを、ＰＵＣＣＨフォーマット３を使用して送信する。また、移動局装置は、ＨＡＲＱ−ＡＣＫとＣＳＩを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。
【０１９２】
また、例えば、ＴＲＵＥにセットされた第１のパラメータと、ＴＲＵＥにセットされた第２のパラメータを受信した移動局装置は、プライマリセルのみにおける１つのＰＤＳＣＨの送信に対応するＨＡＲＱ−ＡＣＫを送信する場合には、第１のパラメータに従って、ＨＡＲＱ−ＡＣＫおよび／またはＣＳＩを送信する。
【０１９３】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第１のパラメータがＴＲＵＥにセットされ、もしＨＡＲＱ−ＡＣＫがプライマリセルのみにおける１つのＰＤＳＣＨの送信に対応していたら、ＣＳＩはＨＡＲＱ−ＡＣＫとＰＵＣＣＨで多重される。
【０１９４】
すなわち、移動局装置は、ＨＡＲＱ−ＡＣＫとＣＳＩを、ＰＵＣＣＨフォーマット２／２ａ／２ｂを使用して送信する。また、移動局装置は、ＨＡＲＱ−ＡＣＫとＣＳＩを、ｎ（２）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によって送信されるＣＳＩには、単一のセル（プライマリセル、または、セカンダリセル）に対応するＣＳＩが含まれる。
【０１９５】
また、例えば、ＴＵＲＥにセットされた第１のパラメータと、ＴＲＵＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、第２のパラメータに従って、ＨＡＲＱ−ＡＣＫおよび／またはＣＳＩを送信する。
【０１９６】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第２のパラメータがＴＲＵＥにセットされ、もしＨＡＲＱ−ＡＣＫがセカンダリセルにおける１つのＰＤＳＣＨの送信（少なくとも１つのセカンダリセルにおけるＰＤＳＣＨの送信でも良い）に対応していたら、ＣＳＩはＨＡＲＱ−ＡＣＫとＰＵＣＣＨで多重される。
【０１９７】
すなわち、移動局装置は、ＨＡＲＱ−ＡＣＫとＣＳＩを、ＰＵＣＣＨフォーマット３を使用して送信する。また、移動局装置は、ＨＡＲＱ−ＡＣＫとＣＳＩを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。
【０１９８】
さらに、図６において、第１のパラメータと第２のパラメータを受信した移動局装置は、ＰＵＳＣＨを伴わないサブフレームにおいて、ＨＡＲＱ−ＡＣＫとＣＳＩが衝突した場合には、ＰＤＣＣＨで検出した下りリンク制御情報が、どのセルにおけるＰＤＳＣＨの送信を指示しているのかに応じて、ＨＡＲＱ−ＡＣＫおよび／またはＣＳＩの送信方法を切り替えても良い。
【０１９９】
すなわち、移動局装置は、ＰＵＳＣＨを伴わないサブフレームにおいて、ＨＡＲＱ−ＡＣＫとＣＳＩが衝突した場合には、ＰＤＣＣＨで検出した下りリンク制御情報が、どのセルのＰＤＳＣＨにおける下りリンクトランスポートブロックの送信を指示しているのかに応じて、ＨＡＲＱ−ＡＣＫおよび／またはＣＳＩの送信方法を切り替えても良い。
【０２００】
例えば、移動局装置は、ＰＵＳＣＨを伴わないサブフレームにおいて、ＨＡＲＱ−ＡＣＫとＣＳＩが衝突した場合には、ＰＤＣＣＨで検出した下りリンク制御情報が、どのセルにおけるＰＤＳＣＨの送信を指示しているのかに応じて、ＨＡＲＱ−ＡＣＫおよび／またはＣＳＩの送信に使用されるＰＵＣＣＨフォーマットを切り替える（異なるＰＵＣＣＨフォーマットを使用する）。
【０２０１】
また、移動局装置は、ＰＵＳＣＨを伴わないサブフレームにおいて、ＨＡＲＱ−ＡＣＫとＣＳＩが衝突した場合には、ＰＤＣＣＨで検出した下りリンク制御情報が、どのセルにおけるＰＤＳＣＨの送信を指示しているのかに応じて、ＨＡＲＱ−ＡＣＫおよび／またはＣＳＩの送信に使用されるＰＵＣＣＨリソースを切り替える（異なるＰＵＣＣＨリソースを使用する）。
【０２０２】
すなわち、移動局装置は、ＰＵＳＣＨを伴わないサブフレームにおいて、ＨＡＲＱ−ＡＣＫとＣＳＩが衝突した場合には、ＰＤＣＣＨで検出した下りリンク制御情報が、どのセルのＰＤＳＣＨにおける下りリンクトランスポートブロックの送信を指示しているのかに応じて、ＨＡＲＱ−ＡＣＫおよび／またはＣＳＩの送信に使用されるＰＵＣＣＨフォーマットを切り替える（異なるＰＵＣＣＨフォーマットを使用する）。
【０２０３】
また、移動局装置は、ＰＵＳＣＨを伴わないサブフレームにおいて、ＨＡＲＱ−ＡＣＫとＣＳＩが衝突した場合には、ＰＤＣＣＨで検出した下りリンク制御情報が、どのセルのＰＤＳＣＨにおける下りリンクトランスポートブロックの送信を指示しているのかに応じて、ＨＡＲＱ−ＡＣＫおよび／またはＣＳＩの送信に使用されるＰＵＣＣＨリソースを切り替える（異なるＰＵＣＣＨリソースを使用する）。
【０２０４】
例えば、移動局装置は、プライマリセルのみにおける１つのＰＤＳＣＨの送信を指示する下りリンク制御情報を１つのＰＤＣＣＨで検出した場合には、第１のパラメータに従って、ＨＡＲＱ−ＡＣＫおよび／またはＣＳＩを送信する。すなわち、移動局装置は、プライマリセルのみにおける１つのＰＤＳＣＨでの下りリンクトランスポートブロックの送信を指示する下りリンク制御情報を１つのＰＤＣＣＨで検出した場合は、第１のパラメータに従って、ＨＡＲＱ−ＡＣＫおよび／またはＣＳＩを送信する。
【０２０５】
また、移動局装置は、セカンダリセルにおける１つのＰＤＳＣＨの送信を指示する下りリンク制御情報を１つのＰＤＣＣＨで検出した場合には、第２のパラメータに従って、ＨＡＲＱ−ＡＣＫおよび／またはＣＳＩを送信する。すなわち、移動局装置は、セカンダリセルにおける１つのＰＤＳＣＨでの下りリンクトランスポートブロックの送信を指示する下りリンク制御情報を１つのＰＤＣＣＨで検出した場合には、第２のパラメータに従って、ＨＡＲＱ−ＡＣＫおよび／またはＣＳＩを送信する。
【０２０６】
また、移動局装置は、プライマリセルおよびセカンダリセルにおける複数のＰＤＳＣＨの送信を指示する下りリンク制御情報を複数のＰＤＣＣＨで検出した場合には、第２のパラメータに従って、ＨＡＲＱ−ＡＣＫおよび／またはＣＳＩを送信する。すなわち、移動局装置は、プライマリセルおよびセカンダリセルにおける複数のＰＤＳＣＨでの下りリンクトランスポートブロックの送信を指示する複数のＰＤＣＣＨで検出した場合には、第２のパラメータに従って、ＨＡＲＱ−ＡＣＫおよび／またはＣＳＩを送信する。
【０２０７】
また、移動局装置は、複数のセカンダリセルにおける複数のＰＤＳＣＨの送信を指示する下りリンク制御情報を複数のＰＤＣＣＨを検出した場合には、第２のパラメータに従って、ＨＡＲＱ−ＡＣＫおよび／またはＣＳＩを送信する。すなわち、移動局装置は、複数のセカンダリセルにおける複数のＰＤＳＣＨでの下りリンクトランスポートブロックの送信を指示する複数のＰＤＣＣＨを検出した場合には、第２のパラメータに従って、ＨＡＲＱ−ＡＣＫおよび／またはＣＳＩを送信する。
【０２０８】
すなわち、移動局装置は、少なくとも１つのセカンダリセルにおけるＰＤＳＣＨの送信を指示する下りリンク制御情報をＰＤＣＣＨで検出した場合には、第２のパラメータに従って、ＨＡＲＱ−ＡＣＫおよび／またはＣＳＩを送信する。すなわち、移動局装置は、少なくとも１つのセカンダリセルにおけるＰＤＳＣＨでの下りリンクトランスポートブロックの送信を指示する下りリンク制御情報をＰＤＣＣＨで検出した場合には、第２のパラメータに従って、ＨＡＲＱ−ＡＣＫおよび／またはＣＳＩを送信する。
【０２０９】
図６において、例えば、ＦＡＬＳＥにセットされた第１のパラメータと、ＦＡＬＳＥにセットされた第２のパラメータを受信した移動局装置は、プライマリセルのみにおける１つのＰＤＳＣＨの送信を指示する下りリンク制御情報をＰＤＣＣＨで検出した場合には、第１のパラメータに従って、ＨＡＲＱ−ＡＣＫおよび／またはＣＳＩを送信する。
【０２１０】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット１ａ／１ｂを使用して送信する。また、移動局装置は、ＨＡＲＱ−ＡＣＫのみを、ｎ（１）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によってドロップされるＣＳＩには、単一のセル（プライマリセル、または、セカンダリセル）に対応するＣＳＩが含まれる。
【０２１１】
また、例えば、ＦＡＬＳＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報をＰＤＣＣＨで検出した場合には、第２のパラメータに従って、ＨＡＲＱ−ＡＣＫおよび／またはＣＳＩを送信する。
【０２１２】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット３を使用して送信する。また、移動局装置は、ＨＡＲＱ−ＡＣＫのみを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によってドロップされるＣＳＩには、単一のセルまたは複数のセルに対応するＣＳＩが含まれる。
【０２１３】
また、例えば、ＴＲＵＥにセットされた第１のパラメータと、ＦＡＬＳＥにセットされた第２のパラメータを受信した移動局装置は、プライマリセルのみにおける１つのＰＤＳＣＨの送信を指示する下りリンク制御情報をＰＤＣＣＨで検出した場合には、第１のパラメータに従って、ＨＡＲＱ−ＡＣＫおよび／またはＣＳＩを送信する。
【０２１４】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第１のパラメータがＴＲＵＥにセットされ、もしプライマリセルのみにおける１つのＰＤＳＣＨの送信を指示する下りリンク制御情報をＰＤＣＣＨで検出したら、ＣＳＩはＨＡＲＱ−ＡＣＫとＰＵＣＣＨで多重される。
【０２１５】
すなわち、移動局装置は、ＨＡＲＱ−ＡＣＫとＣＳＩを、ＰＵＣＣＨフォーマット２／２ａ／２ｂを使用して送信する。また、移動局装置は、ＨＡＲＱ−ＡＣＫとＣＳＩを、ｎ（２）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によって送信されるＣＳＩには、単一のセル（プライマリセル、または、セカンダリセル）に対応するＣＳＩが含まれる。
【０２１６】
また、例えば、ＴＲＵＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報をＰＤＣＣＨで検出した場合には、第２のパラメータに従って、ＨＡＲＱ−ＡＣＫおよび／またはＣＳＩを送信する。
【０２１７】
すなわち、移動局装置は、ＣＳＩをドロップし、ＨＡＲＱ−ＡＣＫのみを送信する。すなわち、移動局装置は、ＨＡＲＱ−ＡＣＫを、ＰＵＣＣＨフォーマット３を使用して送信する。また、移動局装置は、ＨＡＲＱ−ＡＣＫを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によってドロップされるＣＳＩには、単一のセルまたは複数のセルに対応するＣＳＩが含まれる。
【０２１８】
また、例えば、ＦＡＬＳＥにセットされた第１のパラメータと、ＴＲＵＥにセットされた第２のパラメータを受信した移動局装置は、プライマリセルのみにおける１つのＰＤＳＣＨの送信を指示する下りリンク制御情報をＰＤＣＣＨで検出した場合には、第１のパラメータに従って、ＨＡＲＱ−ＡＣＫおよび／またはＣＳＩを送信する。
【０２１９】
すなわち、移動局装置は、ＣＳＩをドロップし、ＨＡＲＱ−ＡＣＫのみを送信する。すなわち、移動局装置は、ＨＡＲＱ−ＡＣＫのみを、ＰＵＣＣＨフォーマット１ａ／１ｂを使用して送信する。また、移動局装置は、ＨＡＲＱ−ＡＣＫのみを、ｎ（１）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によってドロップされるＣＳＩには、単一のセル（プライマリセル、または、セカンダリセル）に対応するＣＳＩが含まれる。
【０２２０】
また、例えば、ＦＡＬＳＥにセットされた第１のパラメータと、ＴＲＵＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報をＰＤＣＣＨで検出した場合には、第２のパラメータに従って、ＨＡＲＱ−ＡＣＫおよび／またはＣＳＩを送信する。
【０２２１】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第２のパラメータがＴＲＵＥにセットされ、もしセカンダリセルにおける１つのＰＤＳＣＨの送信（少なくとも１つのセカンダリセルにおけるＰＤＳＣＨの送信でも良い）を指示する下りリンク制御情報を検出したら、ＣＳＩはＨＡＲＱ−ＡＣＫとＰＵＣＣＨで多重される。
【０２２２】
すなわち、移動局装置は、ＨＡＲＱ−ＡＣＫとＣＳＩを、ＰＵＣＣＨフォーマット３を使用して送信する。また、移動局装置は、ＨＡＲＱ−ＡＣＫとＣＳＩを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。
【０２２３】
また、例えば、ＴＲＵＥにセットされた第１のパラメータと、ＴＲＵＥにセットされた第２のパラメータを受信した移動局装置は、プライマリセルのみにおける１つのＰＤＳＣＨの送信を指示する下りリンク制御情報をＰＤＣＣＨで検出した場合には、第１のパラメータに従って、ＨＡＲＱ−ＡＣＫおよび／またはＣＳＩを送信する。
【０２２４】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第１のパラメータがＴＲＵＥにセットされ、もしプライマリセルのみにおける１つのＰＤＳＣＨの送信を指示する下りリンク制御情報をＰＤＣＣＨで検出したら、ＣＳＩはＨＡＲＱ−ＡＣＫとＰＵＣＣＨで多重される。
【０２２５】
すなわち、移動局装置は、ＨＡＲＱ−ＡＣＫとＣＳＩを、ＰＵＣＣＨフォーマット２／２ａ／２ｂを使用して送信する。また、移動局装置は、ＨＡＲＱ−ＡＣＫとＣＳＩを、ｎ（２）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によって送信されるＣＳＩには、単一のセル（プライマリセル、または、セカンダリセル）に対応するＣＳＩが含まれる。
【０２２６】
また、例えば、ＴＵＲＥにセットされた第１のパラメータと、ＴＲＵＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報をＰＤＣＣＨで検出した場合には、第２のパラメータに従って、ＨＡＲＱ−ＡＣＫおよび／またはＣＳＩを送信する。
【０２２７】
すなわち、移動局装置は、ＨＡＲＱ−ＡＣＫとＣＳＩを同時に送信する。すなわち、ＨＡＲＱ−ＡＣＫとＣＳＩが、ＰＵＳＣＨを伴わない同一のサブフレームにおいて衝突した場合、もし第２のパラメータがＴＲＵＥにセットされ、もしセカンダリセルにおける１つのＰＤＳＣＨの送信（少なくとも１つのセカンダリセルにおけるＰＤＳＣＨの送信でも良い）を指示する下りリンク制御情報をＰＤＣＣＨで検出したら、ＣＳＩはＨＡＲＱ−ＡＣＫとＰＵＣＣＨで多重される。
【０２２８】
すなわち、移動局装置は、ＨＡＲＱ−ＡＣＫとＣＳＩを、ＰＵＣＣＨフォーマット３を使用して送信する。また、移動局装置は、ＨＡＲＱ−ＡＣＫとＣＳＩを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。
【０２２９】
図７は、本実施形態を説明する別の図である。図７は、ＴＲＵＥまたはＦＡＬＳＥにセットされた第１のパラメータと、ＴＲＵＥまたはＦＡＬＳＥにセットされた第２のパラメータを受信した移動局装置によるＨＡＲＱ−ＡＣＫおよび／またはＣＳＩの送信方法を示している。ここで、図７は、基地局装置によって、ＰＵＣＣＨとＰＵＳＣＨの同時送信が設定され（第３のパラメータがＴＲＵＥにセットされ）、ＰＵＳＣＨ（ＰＵＳＣＨリソース）がスケジュールされている際の、ＨＡＲＱ−ＡＣＫおよび／またはＣＳＩの送信方法を示している。すなわち、図７は、ＰＵＣＣＨとＰＵＳＣＨの同時送信が設定された移動局装置によるＨＡＲＱ−ＡＣＫおよび／またはＣＳＩの送信方法を示している。
【０２３０】
以下、図７の説明を使用して、ＨＡＲＱ−ＡＣＫ（ＨＡＲＱ−ＡＣＫの送信）とＣＳＩ（ＣＳＩの送信）が衝突する（同時に生じる）サブフレームにおける移動局装置によるＨＡＲＱ−ＡＣＫおよび／またはＣＳＩの送信方法を記載する。ここで、図７の説明において、ＨＡＲＱ−ＡＣＫとＣＳＩが衝突するサブフレームとは、ＰＵＳＣＨを伴うサブフレーム（ＰＵＳＣＨでの送信が行われるサブフレーム）を示している。
【０２３１】
図７に示すように、例えば、ＦＡＬＳＥにセットされた第１のパラメータと、ＦＡＬＳＥにセットされた第２のパラメータを受信した移動局装置は、プライマリセルのみにおける１つのＰＤＳＣＨの送信に対応するＨＡＲＱ−ＡＣＫを送信する場合には、ＨＡＲＱ−ＡＣＫをＰＵＣＣＨで、ＣＳＩをＰＵＳＣＨで送信する。
【０２３２】
同様に、第１のパラメータ（ＦＡＬＳＥ、または、ＴＲＵＥにセットされた第１のパラメータ）と第２のパラメータ（ＦＡＬＳＥ、または、ＴＲＵＥにセットされた第２のパラメータ）を受信した移動局装置は、プライマリセルのみにおける１つのＰＤＳＣＨの送信に対応するＨＡＲＱ−ＡＣＫを送信する場合には、ＨＡＲＱ−ＡＣＫをＰＵＣＣＨで、ＣＳＩをＰＵＳＣＨで送信する。
【０２３３】
すなわち、ＰＵＣＣＨとＰＵＳＣＨの同時送信を設定された移動局装置は、ＨＡＲＱ−ＡＣＫとＣＳＩが、ＰＵＳＣＨを伴う同一のサブフレームにおいて衝突した場合、もしＨＡＲＱ−ＡＣＫがプライマリセルのみにおける１つのＰＤＳＣＨの送信に対応していたら、ＨＡＲＱ−ＡＣＫをＰＵＣＣＨで、ＣＳＩをＰＵＳＣＨで送信する。
【０２３４】
ここで、移動局装置は、ＨＡＲＱ−ＡＣＫを、ＰＵＣＣＨフォーマット１ａ／１ｂを使用して送信する。また、移動局装置は、ＨＡＲＱ−ＡＣＫを、ｎ（１）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によって送信されるＣＳＩには、単一のセル（プライマリセル、または、セカンダリセル）に対応するＣＳＩが含まれる。また、移動局装置は、ＣＳＩを上りリンクデータ（ＵＬ−ＳＣＨに対するトランスポートブロック）と共に、ＰＵＳＣＨリソースを使用して送信することができる。
【０２３５】
また、例えば、ＦＡＬＳＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、ＨＡＲＱ−ＡＣＫをＰＵＣＣＨで、ＣＳＩをＰＵＳＣＨで送信する。
【０２３６】
同様に、ＴＲＵＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、ＨＡＲＱ−ＡＣＫをＰＵＣＣＨで、ＣＳＩをＰＵＳＣＨで送信する。
【０２３７】
すなわち、ＰＵＣＣＨとＰＵＳＣＨの同時送信を設定された移動局装置は、ＨＡＲＱ−ＡＣＫとＣＳＩが、ＰＵＳＣＨを伴う同一のサブフレームにおいて衝突した場合、もし第２のパラメータがＦＡＬＳＥにセットされ、もしＨＡＲＱ−ＡＣＫがセカンダリセルにおける１つのＰＤＳＣＨの送信（少なくとも１つのセカンダリセルにおけるＰＤＳＣＨの送信でも良い）に対応していたら、ＨＡＲＱ−ＡＣＫをＰＵＣＣＨで、ＣＳＩをＰＵＳＣＨで送信する。
【０２３８】
ここで、移動局装置は、ＨＡＲＱ−ＡＣＫを、ＰＵＣＣＨフォーマット３を使用して送信する。また、移動局装置は、ＨＡＲＱ−ＡＣＫを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。また、移動局装置は、ＣＳＩを上りリンクデータ（ＵＬ−ＳＣＨに対するトランスポートブロック）と共に、ＰＵＳＣＨリソースを使用して送信することができる。
【０２３９】
また、例えば、ＦＡＬＳＥにセットされた第１のパラメータと、ＴＵＲＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、ＨＡＲＱ−ＡＣＫとＣＳＩをＰＵＣＣＨで送信する。
【０２４０】
同様に、ＴＲＵＥにセットされた第１のパラメータと、ＴＲＵＥにセットされた第２のパラメータを受信した移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、ＨＡＲＱ−ＡＣＫとＣＳＩをＰＵＣＣＨで送信する。
【０２４１】
すなわち、ＰＵＣＣＨとＰＵＳＣＨの同時送信を設定された移動局装置は、ＨＡＲＱ−ＡＣＫとＣＳＩが、ＰＵＳＣＨを伴う同一のサブフレームにおいて衝突した場合、もし第２のパラメータがＴＲＵＥにセットされ、もしＨＡＲＱ−ＡＣＫがセカンダリセルにおける１つのＰＤＳＣＨの送信（少なくとも１つのセカンダリセルにおけるＰＤＳＣＨの送信でも良い）に対応していたら、ＨＡＲＱ−ＡＣＫとＣＳＩをＰＵＣＣＨで送信する（ＣＳＩはＨＡＲＱ−ＡＣＫとＰＵＣＣＨで多重される）。
【０２４２】
ここで、移動局装置は、ＨＡＲＱ−ＡＣＫとＣＳＩを、ＰＵＣＣＨフォーマット３を使用して送信する。また、移動局装置は、ＨＡＲＱ−ＡＣＫを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。また、移動局装置は、ＨＡＲＱ−ＡＣＫとＣＳＩをＰＵＣＣＨで、上りリンクデータ（ＵＬ−ＳＣＨに対するトランスポートブロック）をＰＵＳＣＨで（ＰＵＳＣＨリソースを使用して）送信することができる。
【０２４３】
すなわち、ＰＵＣＣＨとＰＵＳＣＨの同時送信を設定された移動局装置は、セカンダリセルにおける１つのＰＤＳＣＨの送信（少なくとも１つのセカンダリセルにおけるＰＤＳＣＨの送信でも良い）に対応するＨＡＲＱ−ＡＣＫを送信する場合には、第２のパラメータに従って、ＣＳＩを、ＰＵＳＣＨで送信するか、ＰＵＣＣＨで送信するか、を決定する。
【０２４４】
また、図７において、例えば、ＦＡＬＳＥにセットされた第１のパラメータと、ＦＡＬＳＥにセットされた第２のパラメータを受信した移動局装置は、プライマリセルのみにおける１つのＰＤＳＣＨの送信を指示する下りリンク制御情報を１つのＰＤＣＣＨで検出した場合には、ＨＡＲＱ−ＡＣＫをＰＵＣＣＨで、ＣＳＩをＰＵＳＣＨで送信しても良い。
【０２４５】
同様に、第１のパラメータ（ＦＡＬＳＥ、または、ＴＲＵＥにセットされた第１のパラメータ）と第２のパラメータ（ＦＡＬＳＥ、または、ＴＲＵＥにセットされた第２のパラメータ）を受信した移動局装置は、プライマリセルのみにおける１つのＰＤＳＣＨの送信を指示する下りリンク制御情報を１つのＰＤＣＣＨで検出した場合には、ＨＡＲＱ−ＡＣＫをＰＵＣＣＨで、ＣＳＩをＰＵＳＣＨで送信する。
【０２４６】
すなわち、ＰＵＣＣＨとＰＵＳＣＨの同時送信を設定された移動局装置は、ＨＡＲＱ−ＡＣＫとＣＳＩが、ＰＵＳＣＨを伴う同一のサブフレームにおいて衝突した場合、もしプライマリセルのみにおける１つのＰＤＳＣＨの送信を指示する下りリンク制御情報を１つのＰＤＣＣＨで検出したら、ＨＡＲＱ−ＡＣＫをＰＵＣＣＨで、ＣＳＩをＰＵＳＣＨで送信する。
【０２４７】
ここで、移動局装置は、ＨＡＲＱ−ＡＣＫを、ＰＵＣＣＨフォーマット１ａ／１ｂを使用して送信する。また、移動局装置は、ＨＡＲＱ−ＡＣＫを、ｎ（１）ＰＵＣＣＨリソースを使用して送信する。ここで、移動局装置によって送信されるＨＡＲＱ−ＡＣＫには、単一のセル（プライマリセル）に対応するＨＡＲＱ−ＡＣＫが含まれる。また、移動局装置によって送信されるＣＳＩには、単一のセル（プライマリセル、または、セカンダリセル）に対応するＣＳＩが含まれる。また、移動局装置は、ＣＳＩを上りリンクデータ（ＵＬ−ＳＣＨに対するトランスポートブロック）と共に、ＰＵＳＣＨリソースを使用して送信することができる。
【０２４８】
また、例えば、ＦＡＬＳＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報を１つのＰＤＣＣＨで検出した場合には、ＨＡＲＱ−ＡＣＫをＰＵＣＣＨで、ＣＳＩをＰＵＳＣＨで送信する。
【０２４９】
同様に、ＴＲＵＥにセットされた第１のパラメータと、ＦＡＬＳＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報を１つのＰＤＣＣＨで検出した場合には、ＨＡＲＱ−ＡＣＫをＰＵＣＣＨで、ＣＳＩをＰＵＳＣＨで送信する。
【０２５０】
すなわち、ＰＵＣＣＨとＰＵＳＣＨの同時送信を設定された移動局装置は、ＨＡＲＱ−ＡＣＫとＣＳＩが、ＰＵＳＣＨを伴う同一のサブフレームにおいて衝突した場合、もし第２のパラメータがＦＡＬＳＥにセットされ、もしセカンダリセルにおける１つのＰＤＳＣＨの送信（少なくとも１つのセカンダリセルにおけるＰＤＳＣＨの送信でも良い）を指示する下りリンク制御情報を検出したら、ＨＡＲＱ−ＡＣＫをＰＵＣＣＨで、ＣＳＩをＰＵＳＣＨで送信する。
【０２５１】
ここで、移動局装置は、ＨＡＲＱ−ＡＣＫを、ＰＵＣＣＨフォーマット３を使用して送信する。また、移動局装置は、ＨＡＲＱ−ＡＣＫを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。また、移動局装置は、ＣＳＩを上りリンクデータ（ＵＬ−ＳＣＨに対するトランスポートブロック）と共に、ＰＵＳＣＨリソースを使用して送信することができる。
【０２５２】
また、例えば、ＦＡＬＳＥにセットされた第１のパラメータと、ＴＵＲＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報を１つのＰＤＣＣＨで検出した場合には、ＨＡＲＱ−ＡＣＫとＣＳＩをＰＵＣＣＨで送信する。
【０２５３】
同様に、ＴＲＵＥにセットされた第１のパラメータと、ＴＲＵＥにセットされた第２のパラメータを受信した移動局装置は、セカンダリセルにおける１つのＰＤＳＣＨの送信（少なくとも１つのセカンダリセルにおけるＰＤＳＣＨの送信でも良い）を指示する下りリンク制御情報を１つのＰＤＣＣＨで検出した場合には、ＨＡＲＱ−ＡＣＫとＣＳＩをＰＵＣＣＨで送信する。
【０２５４】
すなわち、ＰＵＣＣＨとＰＵＳＣＨの同時送信を設定された移動局装置は、ＨＡＲＱ−ＡＣＫとＣＳＩが、ＰＵＳＣＨを伴う同一のサブフレームにおいて衝突した場合、もし第２のパラメータがＴＲＵＥにセットされ、もしセカンダリセルにおける１つのＰＤＳＣＨの送信（少なくとも１つのセカンダリセルにおけるＰＤＳＣＨの送信でも良い）を指示する下りリンク制御情報を１つのＰＤＣＣＨで検出したら、ＨＡＲＱ−ＡＣＫとＣＳＩをＰＵＣＣＨで送信する（ＣＳＩはＨＡＲＱ−ＡＣＫとＰＵＣＣＨで多重される）。
【０２５５】
ここで、移動局装置は、ＨＡＲＱ−ＡＣＫとＣＳＩを、ＰＵＣＣＨフォーマット３を使用して送信する。また、移動局装置は、ＨＡＲＱ−ＡＣＫを、ｎ（３）ＰＵＣＣＨリソースを使用して送信する。ここで、移動局装置によって送信されるＨＡＲＱ−ＡＣＫには、単一のセルまたは複数のセルに対応するＨＡＲＱ−ＡＣＫが含まれる。また、移動局装置によって送信されるＣＳＩには、単一のセルまたは複数のセルに対応するＣＳＩが含まれる。また、移動局装置は、ＨＡＲＱ−ＡＣＫとＣＳＩをＰＵＣＣＨで、上りリンクデータ（ＵＬ−ＳＣＨに対するトランスポートブロック）をＰＵＳＣＨで（ＰＵＳＣＨリソースを使用して）送信することができる。
【０２５６】
すなわち、ＰＵＣＣＨとＰＵＳＣＨの同時送信を設定された移動局装置は、セカンダリセルにおける１つのＰＤＳＣＨの送信（少なくとも１つのセカンダリセルにおけるＰＤＳＣＨの送信でも良い）を指示する下りリンク制御情報を１つのＰＤＣＣＨで検出した場合には、第２のパラメータに従って、ＣＳＩを、ＰＵＳＣＨで送信するか、ＰＵＣＣＨで送信するか、を決定する。
【０２５７】
移動局装置が、上述したようにＨＡＲＱ−ＡＣＫおよび／またはＣＳＩを送信することによって、状況に応じて、適切なＰＵＣＣＨフォーマットを使用して、ＨＡＲＱ−ＡＣＫおよび／またはＣＳＩを送信することが可能となり、効率的にＨＡＲＱ−ＡＣＫおよび／またはＣＳＩを送信することができる。
【０２５８】
例えば、基地局装置と移動局装置の間において、通信に使用されるセルの数に不一致が生じる状況（基地局装置によって、上位層の信号を使用して、通信に使用されるセルの数が変更される際）に、移動局装置は、ＰＵＣＣＨフォーマット１ａ／１ｂを使用して、ＨＡＲＱ−ＡＣＫを送信することができる。すなわち、基地局装置と移動局装置は、通信に使用されるセルの数に不一致が生じる状況においても、単一のセルのみ（プライマリセルのみ）において、通信を継続することが可能となる。
【０２５９】
また、例えば、基地局装置と移動局装置の間において、通信に使用されるセルの数に不一致が生じる状況（基地局装置によって、上位層の信号を使用して、通信に使用されるセルの数が変更される際）に、移動局装置は、ＰＵＣＣＨフォーマット２／２ａ／２ｂを使用して、ＨＡＲＱ−ＡＣＫとＣＳＩを同時に送信することができる。すなわち、基地局装置と移動局装置は、通信に使用されるセルの数に不一致が生じる状況においても、単一のセルのみ（プライマリセルのみ）において、通信を継続することが可能となる。また、基地局装置によって、ＣＳＩに基づいた効率的なスケジューリングを行うことが可能となる。
【０２６０】
ここで、基本的に、ＰＵＣＣＨフォーマット１ａ／１ｂ、および、ＰＵＣＣＨフォーマット２／２ａ／２ｂは、ＰＵＣＣＨフォーマット３と比較して、送信可能なビット数は少ないが、単一の物理リソースブロックに符号多重できる数が多い。すなわち、移動局装置が、単一のセルに対応するＨＡＲＱ−ＡＣＫを送信する（プライマリセルにおける１つのＰＤＳＣＨの送信に対応するＨＡＲＱ−ＡＣＫを送信する）状況において、ＰＵＣＣＨフォーマット１ａ／１ｂ、または、ＰＵＣＣＨフォーマット２／２ａ／２ｂを使用してＨＡＲＱ−ＡＣＫを送信することによって、効率的にＨＡＲＱ−ＡＣＫおよびＣＳＩを送信することができる。
【０２６１】
また、移動局装置が、単一のセルに対応するＨＡＲＱ−ＡＣＫ（情報量の少ないＨＡＲＱ−ＡＣＫ）を送信する際にはＰＵＣＣＨフォーマット１ａ／１ｂ、または、ＰＵＣＣＨフォーマット２／２ａ／２ｂを使用し、単一のセルまたは複数のセルに対応するＨＡＲＱ−ＡＣＫ（情報量が多くなる可能性のあるＨＡＲＱ−ＡＣＫ）を送信する際にはＰＵＣＣＨフォーマット３を使用することによって、状況に応じて、適切なフォーマットを使用して、効率的にＨＡＲＱ−ＡＣＫおよび／またはＣＳＩを送信することが可能となる。
【０２６２】
また、ＡＣＫ／ＮＡＣＫは、ＣＳＩと比較して、より低い誤り率が求められる。すなわち、ＰＵＣＣＨフォーマット１ａ／１ｂで送信されるＡＣＫ／ＮＡＣＫは、ＰＵＣＣＨフォーマット２／２ａ／２ｂで送信されるＡＣＫ／ＮＡＣＫと比較して、誤り率が低い。すなわち、ＰＵＣＣＨフォーマット３でＡＣＫ／ＮＡＣＫのみを送信する場合は、ＰＵＣＣＨフォーマット３でＡＣＫ／ＮＡＣＫおよびＣＳＩを送信する場合よりも、ＡＣＫ／ＮＡＣＫの誤り率が低い。
【０２６３】
また、移動局装置が、単一のセルに対応するＨＡＱＲ−ＡＣＫを送信する際には、第１のパラメータに基づいて、ＰＵＣＣＨフォーマット１ａ／１ｂまたはＰＵＣＣＨフォーマット２／２ａ／２ｂを使用することによって、適切なフォーマットを使用して、効率的にＨＡＲＱ−ＡＣＫおよび／またはＣＳＩを送信することが可能となる。
【０２６４】
また、移動局装置が、単一のセルまたは複数のセルに対応するＨＡＱＲ−ＡＣＫを送信する際には、第２のパラメータに基づいて、ＰＵＣＣＨフォーマット３を使用することによって、ＡＣＫ／ＮＡＣＫのみ、またはＡＣＫ／ＮＡＣＫおよびＣＳＩを効率的に送信することが可能となる。
【０２６５】
また、ＰＵＣＣＨとＰＵＳＣＨの同時送信を設定された移動局装置が、上述したようにＨＡＲＱ−ＡＣＫおよびＣＳＩを送信することによって、基地局装置が第２のパラメータを設定することによって、ＣＳＩを、ＰＵＳＣＨで送信するか、ＰＵＣＣＨで送信するか、を切り替えることができる。すなわち、ＣＳＩを、ＰＵＳＣＨで送信するか、ＰＵＣＣＨで送信するか、を指示するための情報が不要となり、効率的にＨＡＲＱ−ＡＣＫおよびＣＳＩを送信することが可能となる。
【０２６６】
ここで、基本的に、ＰＵＣＣＨで送信可能な情報量は制限される。また、ＰＵＳＣＨで送信可能な情報量は制限されない。すなわち、ＰＵＣＣＨでは少ない情報量しか送信することができず、ＰＵＳＣＨでは多い情報量を送信することが可能である。一方、ＰＵＣＣＨは、上りリンク制御情報（ＨＡＲＱ−ＡＣＫ、ＣＳＩ、スケジューリングリクエスト）の送信に適した設計が為されている。例えば、ＰＵＣＣＨは、高い電力で送信することが可能である。また、ＰＵＳＣＨは、上りリンクトランスポートブロックの送信に適した設計が為されている。
【０２６７】
すなわち、基地局装置は、状況に応じて、ＰＵＳＣＨでのＣＳＩの送信と、ＰＵＣＣＨでのＣＳＩの送信を、第２のパラメータを使用して切り替えることが可能となる。例えば、基地局装置は、ＰＵＣＣＨで情報量の多いＨＡＲＱ−ＡＣＫを送信させる場合には、ＣＳＩをＰＵＳＣＨで送信させることができる。また、基地局装置は、ＰＵＣＣＨで情報量の少ないＨＡＲＱ−ＡＣＫを送信させる場合には、ＣＳＩをＰＵＣＣＨで送信させることができる。
【０２６８】
また、例えば、基地局装置は、情報量の多いＣＳＩを送信させる場合には、ＣＳＩをＰＵＳＣＨで送信させることができる。また、情報量の少ないＣＳＩを送信させる場合には、ＣＳＩをＰＵＣＣＨで送信させることができる。
【０２６９】
また、例えば、基地局装置は、ＡＣＫ／ＮＡＣＫを正確に受信したい場合には、移動局装置がＰＵＣＣＨでＡＣＫ／ＮＡＣＫのみを送信するよう、第３のパラメータを用いて設定する。また、例えば、基地局装置は、ＣＳＩを正確に受信したい場合には、移動局装置がＰＵＣＣＨでＡＣＫ／ＮＡＣＫおよびＣＳＩを送信するよう、第３のパラメータを用いて設定する。
【０２７０】
上述したように、基地局装置が、状況に応じて、ＨＡＲＱ−ＡＣＫおよび／またはＣＳＩの送信方法を切り替えることによって、効率的にＨＡＲＱ−ＡＣＫおよび／またはＣＳＩを送信することが可能となる。
【０２７１】
以上説明した実施形態は、基地局装置および／または移動局装置に搭載される集積回路にも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０２７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０２７３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２７４】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
0005873708.tif 000002
【図２】
0005873708.tif 000003
【図３】
0005873708.tif 000004
【図４】
0005873708.tif 000005
【図５】
0005873708.tif 000006
【図６】
0005873708.tif 000007
【図７】
0005873708.tif 000008